(57)【特許請求の範囲】
【請求項１】
照明装置に関する設定を行う設定器であって、
ユーザ操作を受け付ける操作部と、
照明装置と通信する通信部と、
表示部と、
複数の照明装置のレイアウトを示すレイアウト情報を記憶する記憶部と、
前記レイアウト情報に含まれる、照明装置の位置を示す位置情報と、照明装置に固有の識別情報とを対応付ける対応付け部と
を備え、
前記表示部は、前記複数の照明装置に含まれる、前記通信部が通信可能な複数の第１照明装置のそれぞれについて、当該第１照明装置と当該通信部との間の信号強度を表示し、
前記通信部は、前記表示部で前記信号強度が表示される状態において前記複数の第１照明装置から選択された設定対象の照明装置に対して、点灯状態の変更を指示する変更指示信号を送信し、
前記対応付け部は、前記通信部が前記設定対象の照明装置に前記変更指示信号を送信した後に前記操作部が受け付けた、前記位置情報を指定する指定操作に応じて、当該位置情報と、前記設定対象の照明装置の前記識別情報とを対応付ける、設定器。
【請求項２】
請求項１に記載の設定器であって、
前記操作部は、前記表示部で前記信号強度が表示される状態において、前記複数の第１照明装置から前記設定対象の照明装置を選択する設定対象選択操作を受け付ける、設定器。
【請求項３】
請求項２に記載の設定器であって、
前記表示部は、前記複数の第１照明装置に関する前記信号強度の一覧を示す一覧表を表示し、
前記一覧表では、各欄において、前記信号強度と、当該信号強度に対応する前記第１照明装置の前記識別情報とが対応付けられており、
前記表示部は、前記一覧表に含まれる各欄を、前記信号強度が大きいもの順に表示する、設定器。
【請求項４】
請求項３に記載の設定器であって、
前記設定対象選択操作は、前記一覧表に含まれる、前記設定対象の照明装置に対応する欄を選択する操作である、設定器。
【請求項５】
請求項１に記載の設定器であって、
前記表示部で前記信号強度が表示される状態において、前記複数の第１照明装置から前記設定対象の照明装置を順番に選択する選択部をさらに備える、設定器。
【請求項６】
請求項５に記載の設定器であって、
前記選択部は、前記表示部で前記信号強度が表示される状態において、前記通信部との間の前記信号強度が大きいもの順に前記複数の第１照明装置から前記設定対象の照明装置を順番に選択する、設定器。
【請求項７】
請求項１乃至請求項６のいずれか一つに記載の設定器であって、
前記レイアウト情報に基づいて、前記表示部が表示するレイアウト図を生成する生成部をさらに備え、
前記レイアウト図は、前記複数の第１照明装置をそれぞれ示す複数の照明装置図を含み、
前記レイアウト図において、前記複数の照明装置図のそれぞれは、当該照明装置図が示す照明装置の前記位置情報に応じて配置され、
前記位置情報を指定する前記指定操作は、前記表示部が表示する前記レイアウト図に含まれる、当該位置情報に応じて配置された前記照明装置図を選択する操作である、設定器。
【請求項８】
請求項７に記載の設定器であって、
前記設定器はユーザによって所持され、
前記設定器を所持するユーザの向きを特定する特定部をさらに備え、
前記表示部は、前記レイアウト図とともに、前記特定部が特定するユーザの向きを示す情報を表示する、設定器。
【請求項９】
請求項１乃至請求項８のいずれか一つに記載の設定器であって、
前記設定器は、前記複数の第１照明装置を制御するコントローラの周囲で使用される、設定器。
【請求項１０】
請求項９に記載の設定器であって、
前記表示部が表示する、前記複数の第１照明装置に関する前記信号強度において、しきい値よりも小さい前記信号強度が存在する場合には、前記表示部は、その旨を通知する表示を行う、設定器。
【請求項１１】
請求項１乃至請求項１０のいずれか一つに記載の設定器であって、
前記通信部は、前記設定対象の照明装置に前記変更指示信号を送信した後に、前記設定対象の照明装置に対する設定情報を、当該設定対象の照明装置に送信する、設定器。
【請求項１２】
請求項１１に記載の設定器であって、
前記位置情報には、それに対応する照明装置に対する設定情報が対応付けられており、
前記通信部は、前記操作部が受け付けた、前記位置情報を指定する指定操作に応じて、当該位置情報に対応付けられた前記設定情報を前記設定対象の照明装置に送信する、設定器。
【請求項１３】
請求項１１及び請求項１２のいずれか一つに記載の設定器であって、
前記操作部は、設定情報の入力操作を受け付け、
前記通信部は、前記複数の第１照明装置から複数の設定対象の照明装置が選択されているとき、前記操作部が前記入力操作を受け付けると、当該複数の設定対象の照明装置に対して共通の前記設定情報を送信する、設定器。
【請求項１４】
複数の照明装置と、
前記複数の照明装置に関する設定を行う、請求項１乃至請求項１３のいずれか一つに記載された設定器と
を備える、照明システム。
【請求項１５】
請求項１４に記載の照明システムであって、
前記複数の照明装置を制御するコントローラをさらに備える、照明システム。
【請求項１６】
照明装置に関する設定を行う設定器を制御するための制御プログラムであって、
前記設定器は、複数の照明装置のレイアウトを示すレイアウト情報を記憶し、
前記レイアウト情報には、前記複数の照明装置のそれぞれについて、当該照明装置の位置を示す位置情報が含まれ、
前記設定器に、
（ａ）前記複数の照明装置に含まれる、前記設定器が通信可能な複数の第１照明装置のそれぞれについて、当該第１照明装置と当該通信部との間の信号強度を表示する工程と、
（ｂ）前記信号強度が表示される状態において前記複数の第１照明装置から選択された設定対象の照明装置に対して、点灯状態の変更を指示する変更指示信号を送信する工程と、
（ｃ）前記工程（ｂ）の後に指定される前記位置情報と、前記設定対象の照明装置に固有の識別情報とを対応付ける工程と
を実行させるための制御プログラム。
【請求項１７】
照明装置に関する設定を行う設定器の動作方法であって、
前記設定器は、複数の照明装置のレイアウトを示すレイアウト情報を記憶し、
前記レイアウト情報には、前記複数の照明装置のそれぞれについて、当該照明装置の位置を示す位置情報が含まれ、
（ａ）前記複数の照明装置に含まれる、前記設定器が通信可能な複数の第１照明装置のそれぞれについて、当該第１照明装置と当該通信部との間の信号強度を表示する工程と、
（ｂ）前記信号強度が表示される状態において前記複数の第１照明装置から選択された設定対象の照明装置に対して、点灯状態の変更を指示する変更指示信号を送信する工程と、
（ｃ）前記工程（ｂ）の後に指定される前記位置情報と、前記設定対象の照明装置に固有の識別情報とを対応付ける工程と
を備える、設定器の動作方法。
【発明の詳細な説明】
【技術分野】
【０００１】
本発明は、照明装置に関する設定に関する。
【背景技術】
【０００２】
特許文献１にも記載されているように、従来から、照明装置に関する設定を行うための様々な技術が提案されている。
【先行技術文献】
【特許文献】
【０００３】
【特許文献１】特許第４８６９１９３号公報
【発明の概要】
【発明が解決しようとする課題】
【０００４】
さて、照明装置に関する設定を行う際には、設定ミスが抑制されることが望まれる。
【０００５】
そこで、本発明は上述の点に鑑みて成されたものであり、照明装置に関する設定のミスを抑制することが可能な技術を提供することを目的とする。
【課題を解決するための手段】
【０００６】
上記課題を解決するため、本発明に係る設定器の一態様は、照明装置に関する設定を行う設定器であって、ユーザ操作を受け付ける操作部と、照明装置と通信する通信部と、表示部と、複数の照明装置のレイアウトを示すレイアウト情報を記憶する記憶部と、前記レイアウト情報に含まれる、照明装置の位置を示す位置情報と、照明装置に固有の識別情報とを対応付ける対応付け部とを備え、前記表示部は、前記複数の照明装置に含まれる、前記通信部が通信可能な複数の第１照明装置のそれぞれについて、当該第１照明装置と当該通信部との間の信号強度を表示し、前記通信部は、前記表示部で前記信号強度が表示される状態において前記複数の第１照明装置から選択された設定対象の照明装置に対して、点灯状態の変更を指示する変更指示信号を送信し、前記対応付け部は、前記通信部が前記設定対象の照明装置に前記変更指示信号を送信した後に前記操作部が受け付けた、前記位置情報を指定する指定操作に応じて、当該位置情報と、前記設定対象の照明装置の前記識別情報とを対応付ける。
【０００７】
また、本発明に係る設定器の一態様では、前記操作部は、前記表示部で前記信号強度が表示される状態において、前記複数の第１照明装置から前記設定対象の照明装置を選択する設定対象選択操作を受け付ける。
【０００８】
また、本発明に係る設定器の一態様では、前記表示部は、前記複数の第１照明装置に関する前記信号強度の一覧を示す一覧表を表示し、前記一覧表では、各欄において、前記信号強度と、当該信号強度に対応する前記第１照明装置の前記識別情報とが対応付けられており、前記表示部は、前記一覧表に含まれる各欄を、前記信号強度が大きいもの順に表示する。
【０００９】
また、本発明に係る設定器の一態様では、前記設定対象選択操作は、前記一覧表に含まれる、前記設定対象の照明装置に対応する欄を選択する操作である。
【００１０】
また、本発明に係る設定器の一態様では、前記表示部で前記信号強度が表示される状態において、前記複数の第１照明装置から前記設定対象の照明装置を順番に選択する選択部がさらに設けられる。
【００１１】
また、本発明に係る設定器の一態様では、前記選択部は、前記表示部で前記信号強度が表示される状態において、前記通信部との間の前記信号強度が大きいもの順に前記複数の第１照明装置から前記設定対象の照明装置を順番に選択する。
【００１２】
また、本発明に係る設定器の一態様では、前記レイアウト情報に基づいて、前記表示部が表示するレイアウト図を生成する生成部がさらに設けられ、前記レイアウト図は、前記複数の第１照明装置をそれぞれ示す複数の照明装置図を含み、前記レイアウト図において、前記複数の照明装置図のそれぞれは、当該照明装置図が示す照明装置の前記位置情報に応じて配置され、前記位置情報を指定する前記指定操作は、前記表示部が表示する前記レイアウト図に含まれる、当該位置情報に応じて配置された前記照明装置図を選択する操作である。
【００１３】
また、本発明に係る設定器の一態様では、前記設定器はユーザによって所持され、前記設定器を所持するユーザの向きを特定する特定部がさらに設けられ、前記表示部は、前記レイアウト図とともに、前記特定部が特定するユーザの向きを示す情報を表示する。
【００１４】
また、本発明に係る設定器の一態様では、前記設定器は、前記複数の第１照明装置を制御するコントローラの周囲で使用される。
【００１５】
また、本発明に係る設定器の一態様では、前記表示部が表示する、前記複数の第１照明装置に関する前記信号強度において、しきい値よりも小さい前記信号強度が存在する場合には、前記表示部は、その旨を通知する表示を行う。
【００１６】
また、本発明に係る設定器の一態様では、前記通信部は、前記設定対象の照明装置に前記変更指示信号を送信した後に、前記設定対象の照明装置に対する設定情報を、当該設定対象の照明装置に送信する。
【００１７】
また、本発明に係る設定器の一態様では、前記位置情報には、それに対応する照明装置に対する設定情報が対応付けられており、前記通信部は、前記操作部が受け付けた、前記位置情報を指定する指定操作に応じて、当該位置情報に対応付けられた前記設定情報を前記設定対象の照明装置に送信する。
【００１８】
また、本発明に係る設定器の一態様では、前記操作部は、設定情報の入力操作を受け付け、前記通信部は、前記複数の第１照明装置から複数の設定対象の照明装置が選択されているとき、前記操作部が前記入力操作を受け付けると、当該複数の設定対象の照明装置に対して共通の前記設定情報を送信する。
【００１９】
また、本発明の係る照明システムの一態様は、複数の照明装置と、前記複数の照明装置に関する設定を行う上記の設定器とを備える。
【００２０】
また、本発明に係る照明システムの一態様では、前記複数の照明装置を制御するコントローラがさらに設けられる。
【００２１】
また、本発明に係る制御プログラムの一態様は、照明装置に関する設定を行う設定器を制御するための制御プログラムであって、前記設定器は、複数の照明装置のレイアウトを示すレイアウト情報を記憶し、前記レイアウト情報には、前記複数の照明装置のそれぞれについて、当該照明装置の位置を示す位置情報が含まれ、前記設定器に、（ａ）前記複数の照明装置に含まれる、前記設定器が通信可能な複数の第１照明装置のそれぞれについて、当該第１照明装置と当該通信部との間の信号強度を表示する工程と、（ｂ）前記信号強度が表示される状態において前記複数の第１照明装置から選択された設定対象の照明装置に対して、点灯状態の変更を指示する変更指示信号を送信する工程と、（ｃ）前記工程（ｂ）の後に指定される前記位置情報と、前記設定対象の照明装置に固有の識別情報とを対応付ける工程とを実行させるためのものである。
【００２２】
また、本発明に係る設定器の動作方法の一態様は、照明装置に関する設定を行う設定器の動作方法であって、前記設定器は、複数の照明装置のレイアウトを示すレイアウト情報を記憶し、前記レイアウト情報には、前記複数の照明装置のそれぞれについて、当該照明装置の位置を示す位置情報が含まれ、（ａ）前記複数の照明装置に含まれる、前記設定器が通信可能な複数の第１照明装置のそれぞれについて、当該第１照明装置と当該通信部との間の信号強度を表示する工程と、（ｂ）前記信号強度が表示される状態において前記複数の第１照明装置から選択された設定対象の照明装置に対して、点灯状態の変更を指示する変更指示信号を送信する工程と、（ｃ）前記工程（ｂ）の後に指定される前記位置情報と、前記設定対象の照明装置に固有の識別情報とを対応付ける工程とを備える。
【発明の効果】
【００２３】
本発明の一態様によれば、照明装置に関する設定を簡単に行うことができる。
【図面の簡単な説明】
【００２４】
【図１】照明システムの構成を示す図である。
【図２】統合コントローラの構成を示す図である。
【図３】エリアコントローラの構成を示す図である。
【図４】照明装置の構成を示す図である。
【図５】設定器の構成を示す図である。
【図６】照明システムの動作を示すフローチャートである。
【図７】照明装置のレイアウトの一例を示す図である。
【図８】設定画面の一例を示す図である。
【図９】照明システムの動作を示すフローチャートである。
【図１０】照明システムの動作を示すフローチャートである。
【図１１】設定画面の一例を示す図である。
【図１２】設定画面の一例を示す図である。
【図１３】設定画面の一例を示す図である。
【図１４】設定画面の一例を示す図である。
【図１５】設定画面の一例を示す図である。
【図１６】設定画面の一例を示す図である。
【図１７】設定画面の一例を示す図である。
【図１８】設定画面の一例を示す図である。
【図１９】設定画面の一例を示す図である。
【図２０】設定画面の一例を示す図である。
【図２１】設定画面の一例を示す図である。
【図２２】設定画面の一例を示す図である。
【図２３】設定画面の一例を示す図である。
【図２４】設定画面の一例を示す図である。
【図２５】設定画面の一例を示す図である。
【図２６】設定画面の一例を示す図である。
【図２７】設定画面の一例を示す図である。
【図２８】設定画面の一例を示す図である。
【図２９】設定画面の一例を示す図である。
【図３０】設定器がエリアコントローラの周囲で使用される様子を示す図である。
【図３１】設定画面の一例を示す図である。
【発明を実施するための形態】
【００２５】
＜照明システムの全体構成＞
図１は実施の形態に係る照明システム１の構成を示す図である。本実施の形態に係る照明システム１は、例えば、オフィスビル、商業ビル等のビルに導入される照明システムである。
【００２６】
図１に示されるように、照明システム１は、複数の照明装置２と、照明装置２に関する設定を行う設定器３と、照明装置２を制御する照明コントローラ４とを備えている。照明システム１が導入されるビルの各フロアの天井には複数の照明装置２が配置されている。照明コントローラ４は、各照明装置２を制御することが可能である。以後、「ビル」と言えば、照明システム１が導入されるビルを意味し、「フロア」と言えば、照明システム１が導入されるビルのフロアを意味する。
【００２７】
照明コントローラ４は、複数のエリアコントローラ５と、それらを制御する統合コントローラ６とを備えている。ビルの各フロアには、少なくとも１つのエリアコントローラ５が配置される。各エリアコントローラ５は、それが配置されたフロアの天井に配置された照明装置２と、例えばＩＥＥＥ８０２．１５．４に準拠して無線通信を行う。各エリアコントローラ５は、統合コントローラ６による制御によって照明装置２の明るさを制御する。ここで、照明装置２の明るさの制御には、照明装置２を点灯すること及び照明装置２を消灯することも含まれる。また各エリアコントローラ５は、設定器３と無線通信することができる。
【００２８】
本実施の形態では、１つのエリアコントローラ５と複数の照明装置２とで、「ＰＡＮ（Personal Area Network）」と呼ばれる通信ネットワークが形成される。当該通信ネットワークを単に「エリアネットワーク」と呼ぶ。照明システム１には、エリアコントローラ５の数に応じた複数のエリアネットワークが形成される。各エリアコントローラ５は、自身が属するエリアネットワークに属する各照明装置２を管理する。各エリアコントローラ５は、自身が属するエリアネットワークに属する各照明装置２と通信することは可能であるものの、他のエリアネットワークに属する照明装置２とは通信することができない。１つのエリアネットワークには、例えば、最大で６４台の照明装置２を含めることができる。
【００２９】
統合コントローラ６は、照明システム１全体の動作を管理する。統合コントローラ６は、ビル全体を管理するビル管理コントローラ（図示せず）に接続されている。統合コントローラ６は、各エリアコントローラ５と例えば有線通信を行う。統合コントローラ６は、ビル管理コントローラからの指示に応じて各エリアコントローラ５を制御することによって、各照明装置２の明るさを制御することができる。ビル管理コントローラは、例えば、ビルの管理室に配置される。
【００３０】
設定器３は、各照明装置２と通信することが可能であって、照明装置２に関する各種設定を行うことができる。本実施の形態では、設定器３は、例えば携帯型の電子機器であって、ユーザによって所持される。ユーザは、所持した設定器３を操作することによって、当該設定器３に照明装置２に関する各種設定を行わせることができる。
【００３１】
＜統合コントローラの構成＞
図２は統合コントローラ６の構成を示す図である。統合コントローラ６は、一種のコンピュータ装置であって、図２に示されるように、制御部６０と、通信部６１，６２と、表示部６３と、記憶部６４とを備えている。統合コントローラ６は、例えば、ビルの管理室に配置される。
【００３２】
通信部６１は、各エリアコントローラ５と有線通信を行う。通信部６２は、ビル管理コントローラと有線通信を行う。記憶部６４は、ＲＯＭ(Read Only Memory)及びＲＡＭ(Random Access Memory)等で構成されている。表示部６３は各種情報を表示する。制御部６０は、ＣＰＵ（Central Processing Unit）等で構成されており、通信部６１等の他の構成要素を制御することによって、統合コントローラ６全体の動作を管理する。制御部６０内のＣＰＵが、記憶部６４に記憶されたプログラムを実行することにより、統合コントローラ６の各種機能が実現される。なお、統合コントローラ６は表示部６３を備えていなくても良い。
【００３３】
＜エリアコントローラの構成＞
図３は各エリアコントローラ５の構成を示す図である。各エリアコントローラ５は、一種のコンピュータ装置であって、図３に示されるように、制御部５０と、通信部５１，５２と、記憶部５３とを備えている。これらの構成要素は筐体内に収納されている。各エリアコントローラ５は、例えば、フロアの分電盤内に配置される。
【００３４】
通信部５１は、アンテナ５１ａを有している。通信部５１は、アンテナ５１ａを用いて、照明装置２及び設定器３と無線通信を行う。通信部５２は、統合コントローラ６と有線通信を行う。記憶部５３は、ＲＯＭ及びＲＡＭ等で構成されている。制御部５０はＣＰＵ等で構成されており、通信部５１等の他の構成要素を制御することによって、エリアコントローラ５全体の動作を管理する。制御部５０内のＣＰＵが、記憶部５３に記憶されたプログラムを実行することにより、エリアコントローラ５の各種機能が実現される。
【００３５】
＜照明装置の構成＞
図４は各照明装置２の構成を示す図である。図４に示されるように、各照明装置２は、制御部２０と、通信部２１、記憶部２２と、照明器具２４とを備えている。各照明装置２は、照明機能を有するとともに、一種のコンピュータ装置として機能する。
【００３６】
通信部２１は、アンテナ２１ａを有している。通信部２１は、アンテナ２１ａを用いて、エリアコントローラ５及び設定器３と無線通信を行う。記憶部２２は、ＲＯＭ及びＲＡＭ等で構成されている。照明器具２４は、例えば、Ｈｆ（High Frequency）蛍光ランプ、ＬＥＤランプ等で構成される。制御部２０はＣＰＵ等で構成されており、通信部２１等の他の構成要素を制御することによって、照明装置２全体の動作を管理する。制御部２０内のＣＰＵが、記憶部２２に記憶されたプログラムを実行することにより、照明装置２の各種機能が実現される。制御部２０は照明器具２４の明るさ、つまり照明装置２の明るさを制御する。
【００３７】
＜設定器の構成＞
図５は設定器３の構成を示す図である。設定器３は、一種のコンピュータ装置であって、図５に示されるように、制御部３０と、通信部３１と、記憶部３２と、タッチパネルディスプレイ３５とを備えている。タッチパネルディスプレイ３５は、表示部３３及び操作部３４を備えている。設定器３は、例えば、タブレット型の電子機器である。
【００３８】
通信部３１は、アンテナ３１ａを有している。通信部３１は、アンテナ３１ａを用いて、照明装置２及びエリアコントローラ５と無線通信を行う。表示部３３は、例えば液晶表示パネルであって、各種情報を表示する。操作部３４は、各種ユーザ操作を受け付ける。操作部３４は、例えばタッチパネルである。ユーザが、タッチパネルディスプレイ３５を操作すると、操作部３４がその操作を検出して受け付ける。以下では、ユーザが自身の指でタッチパネルディスプレイ３５を操作する場合について説明するが、ユーザは、自身の指以外の物（例えばペン）でタッチパネルディスプレイ３５を操作しても良い。
【００３９】
記憶部３２は、ＲＯＭ及びＲＡＭ等で構成されている。記憶部３２には、設定器３の動作を制御するための制御プログラム３２ａが記憶されている。制御部３０はＣＰＵ等で構成されており、通信部３１等の他の構成要素を制御することによって、設定器３全体の動作を管理する。制御部３０内のＣＰＵが、記憶部３２に記憶された制御プログラム３２ａを実行することにより、設定器３の各種機能が実現される。
【００４０】
＜エリアコントローラと照明装置との通信について＞
各エリアネットワークには、「ＰＡＮ（Personal Area Network）  ＩＤ（Identifier）」と呼ばれる、エリアネットワークに固有の識別情報が定められる。そして、エリアネットワークを構成する、エリアコントローラ５及び照明装置２等の複数の構成要素のそれぞれには、ショートアドレスと呼ばれる、エリアネットワーク内で構成要素を特定するための識別情報が定められる。
【００４１】
各エリアコントローラ５では、自身が属するエリアネットワークのＰＡＮ  ＩＤと、自身のショートアドレスと、自身が管理する各照明装置２のショートアドレスとが記憶部５３に記憶される。また、照明装置２では、自身が属するエリアネットワークのＰＡＮ  ＩＤと、自身のショートアドレスと、自身を管理するエリアコントローラ５のショートアドレスとが記憶部２２に記憶される。
【００４２】
エリアコントローラ５は、ＰＡＮ  ＩＤ及びショートアドレスを用いて、通信先の照明装置２を指定する。具体的には、エリアコントローラ５は、ある照明装置２に所定の情報を送信する際には、当該所定の情報と、記憶するＰＡＮ  ＩＤと、当該ある照明装置２のショートアドレスとを含む送信信号を制御部５０で生成して通信部５１から無線送信する。
【００４３】
照明装置２では、通信部２１が受信するエリアコントローラ５からの信号に含まれるＰＡＮ  ＩＤ及びショートアドレスと、自身が記憶するＰＡＮ  ＩＤ及び自身のショートアドレスとを制御部２０がそれぞれ比較する。制御部２０は、エリアコントローラ５からのＰＡＮ  ＩＤと自身が記憶するＰＡＮ  ＩＤとが一致し、かつエリアコントローラ５からのショートアドレスと、自身が記憶するショートアドレスとが一致する場合には、エリアコントローラ５からの信号が自身宛ての信号であると判定して、当該信号に含まれる所定の情報に応じた処理を行う。それ以外の場合には、制御部２０は、エリアコントローラ５からの信号が自身宛ての信号でないと判定して、当該信号に含まれる所定の情報を破棄する。
【００４４】
同様に、照明装置２は、ＰＡＮ  ＩＤ及びショートアドレスを用いて、通信先のエリアコントローラ５を指定する。具体的には、照明装置２は、自身を管理するエリアコントローラ５に対して所定の情報を送信する際には、当該所定の情報と、記憶するＰＡＮ  ＩＤと、通信先のエリアコントローラ５のショートアドレスとを含む送信信号を制御部２０で生成して通信部２１から無線送信する。
【００４５】
エリアコントローラ５は、通信部５１が受信する照明装置２からの信号に含まれるＰＡＮ  ＩＤ及びショートアドレスと、自身が記憶するＰＡＮ  ＩＤ及び自身のショートアドレスとを制御部５０がそれぞれ比較する。制御部５０は、照明装置２からのＰＡＮ  ＩＤと自身が記憶するＰＡＮ  ＩＤとが一致し、照明装置２からのショートアドレスと自身のショートアドレスとが一致する場合には、照明装置２からの信号が、自分宛ての信号であると判定して、当該信号に含まれる所定の情報に応じた処理を行う。それ以外の場合には、エリアコントローラ５は、照明装置２からの信号が自身宛ての信号でないと判定して、当該信号に含まれる所定の情報を破棄する。
【００４６】
このように、エリアコントローラ５と照明装置２との間でＰＡＮ  ＩＤ及びショートアドレスがやり取りされることによって、各エリアコントローラ５は、自身が属するエリアネットワークの照明装置２だけと通信が可能となる。
【００４７】
また本実施の形態では、エリアコントローラ５と照明装置２との間の無線チャネルとして、複数種類の無線チャネルが定められている。エリアコントローラ５は、複数種類の無線チャネルから、自身が属するエリアネットワークで使用する無線チャネルを決定し、決定した無線チャネルを、自身が属するエリアネットワークの各照明装置２に通知する。照明装置２は、エリアコントローラ５から通知された無線チャネルを用いて無線通信を行う。照明装置２の記憶部２２には、当該照明装置２が使用する無線チャネルを示す無線チャネル情報が記憶される。
【００４８】
＜照明制御処理＞
図６は、照明システム１において照明制御処理が行われる際の当該照明システム１の動作を示すフローチャートである。図６に示されるように、ステップｓ１において、統合コントローラ６が、ビル管理コントローラから第１照明制御情報を受信すると、ステップｓ２が実行される。
【００４９】
ここで、ビル管理コントローラは、ビルの各フロアでの人の入退出状況、各フロアの明るさ、各フロアでの消費電力などのビルに関する様々な情報を管理している。ビル管理コントローラは、これらの情報に基づいて、ビル全体での照明制御の内容、つまり、どのフロアのどこの照明装置２をどのように制御するかを決定する。例えば、ビル管理コントローラは、入退出管理システムからの情報等に基づいて、あるフロアに人が全く存在しなくなったと判定すると、そのフロアの照明装置２をすべて消灯することを決定する。またビル管理コントローラは、各フロアに設けられた照度センサーの出力信号等に基づいて、あるフロアに存在するある部屋が明るすぎると判定すると、その部屋の照明装置２の明るさを低減することを決定する。ビル管理コントローラは、照明制御の内容を決定すると、その内容を第１照明制御情報として統合コントローラ６に送信する。統合コントローラ６では、通信部６２が第１照明制御情報を受信する。
【００５０】
ステップｓ２では、統合コントローラ６の制御部６０が、通信部６２で受信した第１照明制御情報に基づいて、制御対象のエリアコントローラ５を決定する。例えば、第１照明制御情報に、２階のある部屋の照明装置２をすべて消灯することを示す情報が含まれている場合には、制御部６０は、当該ある部屋の各照明装置２を特定し、当該各照明装置２を管理するエリアコントローラ５を制御対象として決定する。このとき、一つのエリアコントローラ５が制御対象とされることもあるし、複数のエリアコントローラ５が制御対象とされることもある。制御部６０は、通信部６１を使用して、制御対象のエリアコントローラ５に対して第２照明制御情報を送信する。第２照明制御情報には、それが送信される制御対象のエリアコントローラ５が行う照明制御の内容、つまり制御対象のエリアコントローラがどの照明装置２をどのように制御するのかが示されている。制御対象のエリアコントローラ５では、通信部５２が第２照明制御情報を受信する。
【００５１】
ステップｓ２が実行されると、ステップｓ３において、第２照明制御情報を受信したエリアコントローラ５では、制御部５０が当該第２照明制御情報に基づいて、制御対象の照明装置２を決定する。このとき、一つの照明装置２が制御対象とされることもあるし、複数の照明装置２が制御対象とされることもある。そして、制御部５０は、通信部５１を使用して、制御対象の照明装置２に対して第３照明制御情報を送信する。第３照明制御情報には、それが送信される制御対象の照明装置２に対する照明制御の内容（点灯、消灯など）が示されている。制御対象の照明装置２では、通信部２１が第３照明制御情報を受信する。
【００５２】
ステップｓ３が実行されると、ステップｓ４において、第３照明制御情報を受信した照明装置２では、制御部２０が当該第３照明制御情報に基づいて照明器具２４の明るさを制御する。例えば、第３照明制御情報が「消灯」を示す場合には、制御部２０は照明器具２４を消灯する。第３照明制御情報が「点灯」を示す場合には、制御部２０は照明器具２４を点灯する。第３照明制御情報が「明るさの１０％低減」を示す場合には、制御部２０は照明器具２４の明るさを１０％低減する。
【００５３】
以上のように照明システム１が動作することによって、ビル管理コントローラが決定した照明制御内容に従って、ビルでの照明が制御される。
【００５４】
＜位置対応関係情報、管理対応関係情報、全体レイアウト情報＞
上述のように、統合コントローラ６が、制御対象のエリアコントローラ５を決定し、制御対象のエリアコントローラ５がどの照明装置２をどのように制御するのかを示す第２照明制御情報を生成するためには、統合コントローラ６は、ビルのどこに、どの照明装置２が配置されているのか把握するとともに、各エリアコントローラ５がどの照明装置２を管理するのかを把握する必要がある。
【００５５】
そこで、本実施の形態では、統合コントローラ６の記憶部６４には、ビルの各位置と、その位置に存在する照明装置２との対応関係を示す位置対応関係情報と、各エリアコントローラ５と、それが管理する照明装置２との対応関係を示す管理対応関係情報とが記憶されている。
【００５６】
ここで、照明システム１では、複数の照明装置２及び複数のエリアコントローラ５のそれぞれには、装置固有の識別情報である物理アドレスが定められている。各照明装置２及び各エリアコントローラ５は、自身の物理アドレスを記憶している。物理アドレスは、ＭＡＣ（Media Access Control）アドレスであっても良いし、ＥＵＩ−６４のアドレスであっても良い。
【００５７】
また、統合コントローラ６の記憶部６４には、照明システム１が有する全ての照明装置２のレイアウト（以後、「全体レイアウト」と呼ぶ）を示す全体レイアウト情報が記憶されている。全体レイアウト情報には、照明システム１が有する複数の照明装置２の位置をそれぞれ示す複数の照明位置情報が含まれている。この照明位置情報は、全体レイアウト上での照明装置２の位置だけを示しており、照明装置２と紐付けされていない。したがって、照明位置情報だけでは、それが示す位置が、複数の照明装置２のうちのどの照明装置２の位置であるかは特定できない。また全体レイアウト情報には、ビルの各フロアでのエリアコントローラ５、部屋、窓、通路、ドア等の、照明装置２以外のレイアウトを示す情報も含まれている。
【００５８】
統合コントローラ６が記憶する位置対応関係情報では、各照明装置２について、当該照明装置２の物理アドレスと、全体レイアウト情報に含まれる、当該照明装置２の位置を示す照明位置情報とが互いに対応付けられている。具体的には、位置対応関係情報には、各照明装置２について、当該照明装置２の物理アドレスと、全体レイアウト情報に含まれる、当該照明装置２の位置を示す照明位置情報との対応付けを示す位置対応付け情報が含まれている。したがって、統合コントローラ６は、位置対応関係情報を参照することによって、ビルのどこに、どの照明装置２が配置されているのか把握することができる。
【００５９】
また統合コントローラ６が記憶する管理対応関係情報では、各エリアコントローラ５について、当該エリアコントローラ５の物理アドレスと、当該エリアコントローラ５が管理する複数の照明装置２の物理アドレスとが互いに対応付けられている。したがって、統合コントローラ６は、管理対応関係情報を参照することによって、各エリアコントローラ５がどの照明装置２を管理するのかを把握することができる。
【００６０】
統合コントローラ６は、ビル管理コントローラからの第１照明制御情報と位置対応関係情報とに基づいて、制御対象の照明装置２の物理アドレスを特定する。そして、統合コントローラ６は、管理対応関係情報において、制御対象の照明装置２の物理アドレスと対応付けられている物理アドレスを有するエリアコントローラ５を制御対象とする。
【００６１】
＜照明装置の設定処理＞
ビルに照明システム１が新たに導入される場合や、照明システム１において新しい照明装置２が設置される場合には、照明装置２に関する各種設定を行う必要がある。例えば、照明装置２の物理アドレスと、照明装置２の位置を示す照明位置情報とを対応付けたり、照明装置２に対してＰＡＮ  ＩＤを割り当てたり、照明装置２にショートアドレスを割り当てたり、照明装置２に使用する無線チャネルを割り当てたりする必要がある。
【００６２】
本実施の形態に係る設定器３は、照明装置２に関する各種設定のうち、例えば、照明装置２の物理アドレスと、照明装置２の位置を示す照明位置情報との対応付けと、照明装置２に対するＰＡＮ  ＩＤの割り当てとを行う。設定器３は、照明装置２と無線通信することによって、その照明装置２に関する設定を行う。ユーザは、手に持った設定器３を操作することによって、これらの処理を設定器３に実行させることができる。
【００６３】
図７は、ユーザ１００が、設定器３を操作して、あるフロア１１０に存在する部屋１２０に配置された照明装置２に関する設定を設定器３に実行させる様子の一例を示す図である。部屋１２０の天井には、例えば、１６個の照明装置２が行列状に配置されている。部屋１２０の壁に設けられた分電盤内には、部屋１２０内の１６個の照明装置２を管理するエリアコントローラ５が設けられている。また部屋１２０には複数の窓１２１が設けられている。そして、部屋１２０には、通路１４０につながるドア１３０が設けられている。
【００６４】
ユーザ１００は、部屋１２０に配置された照明装置２に関する設定を設定器３に実行させる際には、設定器３が設定対象の照明装置２と無線通信できるように、設定器３を所持して部屋１２０内に移動する。そして、ユーザ１００は、設定器３を操作して、設定対象の照明装置２と設定器３とを無線通信させて、設定対象の照明装置２に関する設定を設定器３に実行させる。またユーザ１００は、設定器３と設定対象の照明装置２との間の距離が大きいために両者が無線通信できない場合には、部屋１２０内を移動して設定対象の照明装置２に近づき、設定器３が設定対象の照明装置２と無線通信できるようにする。
【００６５】
以下では、図７に示される部屋１２０に配置された各照明装置２に関する設定が設定器３で実行される場合を例に挙げて、設定器３が照明装置２に関する設定を行う際の照明システム１の動作について説明する。
【００６６】
ユーザは、部屋１２０内に移動すると、設定器３のタッチパネルディスプレイ３５に対して所定の操作を行って、図８に示されるような設定画面２００を設定器３に表示させる。ユーザは、タッチパネルディスプレイ３５に表示される設定画面２００を利用して、設定器３に対して照明装置２に関する設定を実行させる。設定画面２００には、レイアウト画面３００と、確認画面４００と、設定情報入力画面５００とが含まれている。
【００６７】
レイアウト画面３００には、全体レイアウトの一部を示すレイアウト図３１０が示される。ユーザは、設定器３のタッチパネルディスプレイ３５を操作することによって、全体レイアウトのうちのどの部分のレイアウト図３１０がレイアウト画面３００に示されるかを設定器３に指示することができる。つまり、ユーザは、タッチパネルディスプレイ３５を操作することによって、レイアウト画面３００に示されるレイアウト図３１０を指定することができる。本例では、部屋１２０内の照明装置２に関する設定が行われることから、ユーザによるタッチパネルディスプレイ３５の操作によって、図８に示されるレイアウト画面３００には、図７に示される部屋１２０に配置された複数の照明装置２のレイアウトを示すレイアウト図３１０が示されている。
【００６８】
設定器３の記憶部３２には、統合コントローラ６が記憶する全体レイアウト情報と同じ情報が記憶されている。設定器３では、制御部３０が記憶部３２内の全体レイアウト情報に基づいてレイアウト図３１０を生成し、それを表示部３３に表示させる。
【００６９】
部屋１２０内の複数の照明装置２のレイアウトを示すレイアウト図３１０には、当該複数の照明装置２をそれぞれ示す複数の照明装置図３２０が含まれている。レイアウト図３１０では、複数の照明装置図３２０のそれぞれは、当該照明装置図３２０が示す照明装置２の照明位置情報に応じて配置されている。つまり、レイアウト図３１０では、複数の照明装置図３２０のそれぞれは、当該照明装置図３２０が示す照明装置２のビルでの位置に応じて配置されている。またレイアウト図３１０には、部屋１２０を示す図３６０と、窓１２１を示す図３３０と、ドア１３０を示す図３４０と、通路１４０を示す図３５０と、エリアコントローラ５を示す図３７０とが含まれている。ユーザは、設定器３に表示されるレイアウト図３１０を見れば、設定対象の照明装置２が存在する空間のレイアウトを確認することができる。つまり、部屋１２０内のユーザは、レイアウト図３１０を見れば、自身が存在する空間のレイアウトを確認することができる。
【００７０】
確認画面４００は、照明装置２に関する情報をユーザが確認するための画面である。確認画面４００には、一覧表画面４１０が含まれている。一覧表画面４１０には、設定器３が複数の照明装置２と通信することによって取得した、当該複数の照明装置２に関する情報の一覧を示す一覧表４１１が示される。一覧表４１１には、例えば、照明装置２の物理アドレス、照明装置２が記憶するＰＡＮ  ＩＤ、照明装置２に関する信号強度が示される。
【００７１】
ここで、信号強度とは、照明装置２と設定器３との間の信号強度を意味している。信号強度は、照明装置２が設定器３から受信した受信信号の信号強度であっても良いし、設定器３が照明装置２から受信した受信信号の信号強度であっても良い。ここでは、信号強度は、例えば、照明装置２が設定器３から受信した受信信号の信号強度であるとする。
【００７２】
一覧表４１１の各欄では、照明装置２の物理アドレスと、当該照明装置２が記憶するＰＡＮ  ＩＤと、当該照明装置２に関する信号強度とが互いに対応付けられて示される。図８の例では、設定器３は未だ物理アドレス等を取得していないことから、一覧表４１１の各欄は空欄となっている。
【００７３】
また一覧表画面４１０には、一覧表４１１のすべてを同時に一覧表画面４１０に表示できないときに、一覧表画面４１０の表示をスクロールするためのスクロールバー４１２が含まれている。一覧表４１１のすべてを同時に一覧表画面４１０に表示できないときに、スクロールバー４１２には、操作部分であるノブ（「スライダ」とも呼ばれる）が示される。このノブがユーザ操作によって上下に移動することによって、一覧表画面４１０の表示が上下にスクロールする。なお、図８の例では、一覧表４１１の各欄が空欄となっているため、スクロールバー４１２にはノブが示されていない。
【００７４】
また確認画面４００には、一覧表４１１に示される各種情報を設定器３に送信することを照明装置２に要求するための出力要求ボタン４２０が示されている。ユーザによって出力要求ボタン４２０を選択する操作が行われると、設定器３では、制御部３０が出力要求信号を生成して、通信部３１が当該出力要求信号を送信する。出力要求ボタン４２０を選択する操作としては、例えば、出力要求ボタン４２０に対するタップ操作が採用される。
【００７５】
照明装置２では、設定器３からの出力要求信号を通信部２１が受信すると、制御部２０は、記憶部２２から物理アドレス及びＰＡＮ  ＩＤを読み出す。さらに制御部２０は、信号強度として、通信部２１で受信された出力要求信号のＲＳＳＩ（Received Signal Strength Indication）を求める。そして、制御部２０は、物理アドレス、ＰＡＮ  ＩＤ及び信号強度を通信部２１に送信させる。
【００７６】
設定器３は、自身が送信した出力要求信号を受信した各照明装置２から、物理アドレス、ＰＡＮ  ＩＤ及び信号強度を受信する。設定器３では、制御部３０は、通信部３１が受信した物理アドレス、ＰＡＮ  ＩＤ及び信号強度を記憶部３２に記憶するとともに、それらの情報を一覧表画面４１０の一覧表４１１に示す。
【００７７】
設定情報入力画面５００は、照明装置２に対する設定情報（本実施の形態では、ＰＡＮ  ＩＤ）を設定器３に入力するための画面である。設定情報入力画面５００には、ＰＡＮ  ＩＤ入力画面５１０が含まれている。ユーザは、ＰＡＮ  ＩＤ入力画面５１０を利用して、照明装置２に設定するＰＡＮ  ＩＤを設定器３に入力することができる。ＰＡＮ  ＩＤ入力画面５１０には、「ＰＡＮ  ＩＤ」という文字列が示される文字列画面５１１と、ユーザが入力したＰＡＮ  ＩＤが示される入力ＩＤ表示画面５１２とが含まれる。ユーザが入力ＩＤ表示画面５１２を選択する操作を行うと、例えば、設定情報入力画面５００の上に、複数種類のＰＡＮ  ＩＤの一覧が表示される。ユーザは、その一覧から入力すべきＰＡＮ  ＩＤを選択する操作を行う。ユーザによって選択されたＰＡＮ  ＩＤは、入力ＩＤ表示画面５１２に示される。入力ＩＤ表示画面５１２を選択する操作としては、例えば、入力ＩＤ表示画面５１２に対するタップ操作が採用される。また、ＰＡＮ  ＩＤの一覧から入力すべきＰＡＮ  ＩＤを選択する操作としては、当該ＰＡＮ  ＩＤが表示されている部分に対するタップ操作が採用される。
【００７８】
なお本例では、ユーザが複数種類のＰＡＮ  ＩＤから、設定器３に入力するＰＡＮ  ＩＤを選択する操作を、ＰＡＮ  ＩＤの入力操作としたが、ユーザがＰＡＮ  ＩＤを直接入力する操作を、ＰＡＮ  ＩＤの入力操作としても良い。
【００７９】
また設定情報入力画面５００には、ユーザが入力したＰＡＮ  ＩＤを照明装置２に送信するための送信ボタン５２０が含まれている。ユーザによって送信ボタン５２０を選択する操作が行われると、設定器３では、制御部３０が、入力ＩＤ表示画面５１２に示されるＰＡＮ  ＩＤを通信部３１に送信させる。送信ボタン５２０を選択する操作としては、例えば、送信ボタン５２０に対するタップ操作が採用される。
【００８０】
照明装置２では、制御部２０は、通信部２１が受信した、設定器３からのＰＡＮ  ＩＤを記憶部２２に記憶する。記憶部２２には、照明装置２に対する各種設定情報を記憶する不揮発性の設定レジスタが設けられている。制御部２０は、設定器３からのＰＡＮ  ＩＤを設定レジスタに書き込む。これにより、照明装置２に対してＰＡＮ  ＩＤが設定される。設定レジスタには、照明装置２に対する他の設定情報、例えば、無線チャネル情報、ショートアドレスなどが記憶されている。
【００８１】
図９，１０は、ユーザが設定画面２００を利用して照明装置２に関する設定を設定器３に実行させる際の照明システム１の動作を示すフローチャートである。図９，１０では、設定器３及び照明装置２の動作が示されている。図９，１０に示される一連の処理を「照明装置設定処理」と呼ぶことがある。
【００８２】
図９に示されるように、ステップｓ１１において、設定器３のタッチパネルディスプレイ３５（操作部３４）が、設定画面２００の出力要求ボタン４２０を選択する操作を受け付けると、ステップｓ１２において、設定器３の通信部３１は出力要求信号を送信する。本実施の形態では、例えば通信部３１の送信電力は固定である。したがって、出力要求信号の送信電力は変化しない。なお本実施の形態では、各照明装置２の通信部２１の送信電力も固定である。
【００８３】
ステップｓ５１において、設定器３が送信する出力要求信号を受信した各照明装置２では、制御部２０が、信号強度を求めるとともに、記憶部２２の設定レジスタから物理アドレス及びＰＡＮ  ＩＤを読み出す。そして、ステップｓ５２において、制御部２０は、物理アドレス、信号強度及びＰＡＮ  ＩＤを含む送信信号を生成し、それを通信部２１に送信させる。本例では、部屋１２０内の設定器３の通信エリアは、部屋１２０内の１６個の照明装置２のすべてをカバーできないことから、ステップｓ１２において設定器３から送信された出力要求信号は、部屋１２０内の１６個の照明装置２のうちの一部の照明装置２だけが受信する。
【００８４】
ここで、照明装置２に対してＰＡＮ  ＩＤが設定されていない場合には、設定レジスタにおける、ＰＡＮ  ＩＤが記憶される領域には初期値が記憶されている。制御部２０は、照明装置２に対してＰＡＮ  ＩＤが設定されていない場合には、この初期値を含む送信信号を通信部２１に送信させる。以後、照明装置２が設定器３に通知する物理アドレス、信号強度及びＰＡＮ  ＩＤ（初期値も含む）をまとめて「照明装置情報」と呼ぶことがある。
【００８５】
設定器３では、ステップｓ１３において、通信部３１が設定器３の通信エリアに存在する各照明装置２から照明装置情報を含む送信信号を受信すると、制御部３０は、ステップｓ１４において、表示部３３を制御して、設定画面２００の一覧表４１１を更新し、受信された送信信号に含まれる照明装置情報を一覧表４１１に示す。
【００８６】
図１１に示される設定画面２００には、更新後の一覧表４１１が示されている。図１１に示される一覧表４１１には、設定器３が複数の照明装置２から受信した照明装置情報が示されている。図１１の例では、一覧表４１１の各欄は、物理アドレスの小さいものから順に示されている。図１１の例では、ＰＡＮ  ＩＤとして初期値が示されている。図１１の例では、一覧表画面４１０に一覧表４１１のすべてを同時に表示することができないため、スクロールバー４１２には、表示スライド用のノブ４１２ａが示されている。
【００８７】
一覧表４１１が更新された後、ユーザは、タッチパネルディスプレイ３５に対して、設定対象の照明装置２を選択する設定対象選択操作を実行する。本実施の形態では、設定対象選択操作は、例えば、一覧表４１１に含まれる、設定対象の照明装置２に対応する欄（設定対象の照明装置２の照明装置情報が示されている欄）を選択する操作である。一覧表４１１に含まれる、設定対象の照明装置２に対応する欄を選択する操作としては、例えば、当該欄に対するタップ操作が採用される。
【００８８】
図１２は、ユーザが、物理アドレス「１２：３４：５６：７８」を有する照明装置２を設定対象として選択する様子が示されている。図１２の例では、ユーザが、自身の指１０１で、物理アドレス「１２：３４：５６：７８」を有する照明装置２の照明装置情報が示される欄４１１ａをタップ操作する様子が示されている。本実施の形態では、ユーザが、欄４１１ａのどこをタップ操作したとしても、物理アドレス「１２：３４：５６：７８」を有する照明装置２が設定対象とされる。
【００８９】
ステップｓ２１において、タッチパネルディスプレイ３５が設定対象選択操作を受け付けると、ステップｓ２２において、制御部３０は、設定対象選択操作によって選択された設定対象の照明装置２に対して、その点灯状態を変更することを指示する変更指示信号を生成し、それを通信部３１に送信させる。この変更指示信号には、設定対象の照明装置２の物理アドレスが含まれている。
【００９０】
また、タッチパネルディスプレイ３５が設定対象選択操作を受け付けると、制御部３０は、表示部３３を制御して、一覧表４１１において、設定対象の照明装置２の照明装置情報を示す欄の表示態様が、他の欄の表示態様と異なるようにする。設定対象の照明装置２の照明装置情報を示す欄は、例えば、それ以外の欄よりも明るく表示される。図１３は、設定対象の照明装置２の照明装置情報を示す欄４１１ａが、それ以外の欄よりも明るく表示されている様子を模式的に示す図である。図１３では、欄４１１ａに斜線を示すことによって、欄４１１ａが、それ以外の欄よりも明るく表示されている様子が模式的に示されている。
【００９１】
照明装置２では、通信部２１が変更指示信号を受信すると（ステップｓ６１）、制御部２０は、当該変更指示信号に含まれる物理アドレスと、自身の物理アドレスとを比較する。制御部２０、両者が一致しないときには、通信部２１が受信した変更指示信号は自分宛ての信号ではないと判断して、照明器具２４の自身の点灯状態を変更しない。一方で、制御部２０、両者が一致するときには、通信部２１が受信した変更指示信号は自分宛ての信号であると判断して、照明器具２４の点灯状態を変更する（ステップｓ６２）。本実施の形態では、制御部２０は、例えば、常時点灯している照明器具２４が点滅するように照明器具２４を制御する。これより、ユーザによって設定対象として選択された照明装置２だけが点滅するようになる。
【００９２】
ユーザは、設定器３に対して設定対象選択操作を行うと、設定対象の照明装置２の物理アドレスと、全体レイアウト情報における、設定対象の照明装置２の位置（ビルでの位置）を示す照明位置情報（以後、「対象照明位置情報」と呼ぶことがある）との対応付けを設定器３に実行させるために、まず、点滅している設定対象の照明装置２の位置を確認する。そして、ユーザは、その確認結果に基づいて、対象照明位置情報を指定する位置情報指定操作をタッチパネルディスプレイ３５に行う。
【００９３】
本実施の形態では、例えば、設定器３での設定画面２００に示されるレイアウト図３１０において、設定対象の照明装置２の位置に対応する位置に示される照明装置図３２０（以後、「対象照明装置図３２０」と呼ぶことがある）を選択する装置図選択操作が、位置情報指定操作として採用されている。図１４は、装置図選択操作を説明するための図である。
【００９４】
本実施の形態では、例えば、ドラッグアンドドロップと呼ばれる操作に類似した操作が、装置図選択操作に採用されている。ユーザは、装置図選択操作を行う際には、まず、一覧表４１１において、設定対象の照明装置２についての照明装置情報が示される欄に対して指１０１を接触させる（タッチ操作）。その後、ユーザは、指１０１を設定画面２００に接触させた状態で、レイアウト図３１０での対象照明装置図３２０まで移動させた後（スライド操作後）、指１０１を対象照明装置図３２０から離す。これにより、対象照明装置図３２０が選択され、対象照明位置情報が指定される。つまり、レイアウト図３１０において、全体レイアウト情報に含まれるある照明位置情報に応じて配置された対象照明装置図３２０が選択されると、当該ある照明位置情報が対象照明位置情報として指定される。
【００９５】
設定器３では、ステップｓ３１において、タッチパネルディスプレイ３５が位置情報指定操作を受け付けると、制御部３０は、ステップｓ３２において、設定対象の照明装置２の物理アドレスと、対象照明位置情報とを対応付けて、その対応付けを示す位置対応付け情報を生成して記憶部３２に記憶する。また、制御部３０は、設定対象の照明装置２の物理アドレスと対象照明位置情報とを対応付けると、表示部３３を制御して、対象照明装置図３２０の表示態様を、他の照明装置図３２０の表示態様と異なるようにする。例えば、対象照明装置図３２０は、それ以外の照明装置図３２０よりも暗く表示される。図１５は、対象照明装置図３２０が、それ以外の照明装置図３２０よりも暗く表示される様子を模式的に示す図である。図１５では、対象照明装置図３２０に斜線を示すことによって、対象照明装置図３２０が、それ以外の照明装置図３２０よりも暗く表示されている様子が模式的に示されている。
【００９６】
このように、本実施の形態では、設定対象の照明装置２の点灯状態が変更されることから、ユーザは、設定対象の照明装置２の実際の位置を特定し易くなる。よって、ユーザは、設定器３を利用して、全体レイアウト情報における、設定対象の照明装置２の位置を示す照明位置情報を指定し易くなる。したがって、設定対象の照明装置２の物理アドレストと、全体レイアウト情報における、設定対象の照明装置２の位置を示す照明位置情報との対応付けミスが発生することを抑制できる。その結果、照明装置２の物理アドレスと照明位置情報との対応付けの作業効率が向上する。
【００９７】
さらに、本実施の形態では、設定器３には、設定対象の照明装置２と設定器３との間の信号強度が表示される。信号強度は、設定器３と設定対象の照明装置２との間の距離に応じて変化することから、ユーザは、設定器３に表示される信号強度を参照することによって、設定対象の照明装置２の位置を特定し易くなる。したがって、設定対象の照明装置２の物理アドレストと、全体レイアウト情報における、設定対象の照明装置２の位置を示す照明位置情報との対応付けミスが発生することをさらに抑制できる。
【００９８】
なお上記の例では、装置図選択操作において、ユーザが、レイアウト図３１０での対象照明装置図３２０まで指１０１を移動させた後、指１０１を対象照明装置図３２０から離したときに、対象照明装置図３２０が選択されるようにしていたが、これに加えて、ユーザが、レイアウト図３１０において、対象照明装置図３２０の周辺の領域まで指１０１を移動させた後、指１０１を設定画面２００から離したときにも、対象照明装置図３２０が選択されるようにしても良い。これにより、ユーザが対象照明装置図３２０から少しずれた状態で指１０１を離した場合にも、対象照明装置図３２０が選択されることから、設定器３の操作性が向上する。
【００９９】
また上記の例では、ドラッグアンドドロップに類似した操作が、装置図選択操作とされているが、装置図選択操作はこれ以外であっても良い。例えば、対象照明装置図３２０に対する単なるタップ操作が装置図選択操作とされても良い。この場合には、図１４のようなスライド操作が不要となり、装置図選択操作が簡素化され、設定器３の操作性が向上する。
【０１００】
ユーザは、タッチパネルディスプレイ３５に対して位置情報指定操作を行った後、ＰＡＮ  ＩＤ入力画面５１０を利用して、ＰＡＮ  ＩＤの入力操作をタッチパネルディスプレイ３５に対して行う。具体的には、上述のように、ユーザは、ＰＡＮ  ＩＤ入力画面５１０の入力ＩＤ表示画面５１２を選択する操作を行う。そして、ユーザは、設定情報入力画面５００の上に表示された、複数種類のＰＡＮ  ＩＤの一覧から、入力すべきＰＡＮ  ＩＤを選択する。
【０１０１】
設定器３では、図１０に示されるように、ステップｓ４１において、タッチパネルディスプレイ３５がＰＡＮ  ＩＤの入力操作を受け付けると、制御部３０は、表示部３３に、入力されたＰＡＮ  ＩＤを入力ＩＤ表示画面５１２に表示させる。図１６は、入力されたＰＡＮ  ＩＤが入力ＩＤ表示画面５１２に表示されている様子を示す図である。
【０１０２】
ステップｓ４１の後、タッチパネルディスプレイ３５が、ステップｓ４２において、送信ボタン５２０を選択する操作を検出すると、ステップｓ４３において、制御部３０は、入力されたＰＡＮ  ＩＤと、設定対象の照明装置２の物理アドレスとを含む送信信号を生成し、それを通信部３１に送信させる。また、制御部３０は、入力されたＰＡＮ  ＩＤと、設定対象の照明装置２の物理アドレスとを対応付けて、その対応付けを示すＩＤ対応付け情報を記憶部３２に記憶する。
【０１０３】
ステップｓ７１において、設定器３からの送信信号を通信部２１で受信した照明装置２では、制御部２０が、当該送信信号に含まれる物理アドレスと、自身の物理アドレスとを比較する。制御部２０、両者が一致しないときには、通信部２１が受信した送信信号は自分宛ての信号ではないと判断して、当該送信信号に含まれるＰＡＮ  ＩＤを破棄する。一方で、制御部２０、両者が一致するときには、通信部２１が受信した送信信号は自分宛ての信号であると判断して、照明器具２４の点灯状態の変更を解除する（ステップｓ７２）。つまり、設定対象の照明装置２では、制御部２０が、照明器具２４の点滅状態を解除して、照明器具２４を常時点灯させる。制御部２０は、照明器具２４の点灯状態の変更を解除すると、ステップｓ７３において、通信部２１が受信した自分宛ての送信信号に含まれるＰＡＮ  ＩＤを、記憶部２２の設定レジスタに書き込む。これにより、設定対象の照明装置２に対してＰＡＮ  ＩＤが設定される。
【０１０４】
制御部２０は、設定レジスタにＰＡＮ  ＩＤを書き込んだ後、ステップｓ７４において、自装置の物理アドレスを含むＡＣＫ信号を生成し、それを通信部２１に送信させる。このとき、ＡＣＫ信号には、設定レジスタに書き込まれたＰＡＮ  ＩＤが含められる。また、制御部２０は、通信部２１が受信した自分宛ての送信信号のＲＳＳＩを求めて、これを信号強度としてＡＣＫ信号に含める。
【０１０５】
設定器３では、ステップｓ４４において、通信部３１がＡＣＫ信号を受信すると、制御部３０は、ステップｓ４５において、表示部３３を制御して一覧表４１１を更新し、当該ＡＣＫ信号に含まれるＰＡＮ  ＩＤ及び信号強度を一覧表４１１に示す。このとき、制御部３０は、一覧表４１１において、設定済みの設定対象の照明装置２の照明装置情報が示される欄の表示態様が、未設定の照明装置２の照明装置情報が示される欄の表示態様と異なるようにする。以後、設定済みの照明装置２の照明装置情報が示される欄を「設定済み欄」と呼び、未設定の照明装置２の照明装置情報が示される欄を「未設定欄」と呼ぶことがある。
【０１０６】
設定済み欄は、例えば、未設定欄よりも暗く表示される。図１７には、更新後の一覧表４１１が示されている。図１７では、設定済み欄４１１ａに砂地のハッチングを付することによって、設定済み欄４１１ａが、未設定欄よりも暗く表示されている様子が模式的に示されている。以後、設定済み欄の表示態様を「設定済み表示態様」と呼ぶことがある。
【０１０７】
ユーザは、ステップｓ４５において更新された一覧表４１１の内容を確認して、一覧表４１１に照明装置情報が示される照明装置２のすべてに関する設定が完了したか否かを判定する。ユーザは、一覧表４１１に照明装置情報が示される照明装置２のすべてに関する設定が完了していないと判定すると、設定器３のタッチパネルディスプレイ３５に対して、新たな設定対象の照明装置２を選択する設定対象選択操作を行う。
【０１０８】
図９のステップｓ２１において、タッチパネルディスプレイ３５が、新たな設定対象選択操作を受け付けると、制御部３０は、設定対象選択操作によって選択された、新たな設定対象の照明装置２に対して、その点灯状態を変更することを指示する変更指示信号を生成して、それを通信部３１送信させる（ステップｓ２２）。また、制御部３０は、図１８に示されるように、表示部３３を制御して、一覧表４１１において、新たな設定対象の照明装置２の照明装置情報を示す欄の表示態様が、他の欄の表示態様と異なるようにする。図１８の例では、物理アドレス「１２：３４：５６：７９」の照明装置２が新たな設定対象とされている。
【０１０９】
以後、同様にして、ステップｓ６１，ｓ６２，ｓ３１，ｓ３２，ｓ４１〜ｓ４３，ｓ７１〜ｓ７４，ｓ４４，ｓ４５が実行される。
【０１１０】
ユーザは、ステップｓ４５において更新された一覧表４１１の内容を確認した結果、一覧表４１１に照明装置情報が示される照明装置２のすべてに関する設定が完了したと判定すると、ユーザは、設定器３に示されるレイアウト図３１０を確認して、自身が現在存在する部屋１２０のすべての照明装置２に関する設定が完了したか否かを判定する。レイアウト図３１０では、設定済みの照明装置２を示す照明装置図３２０が、未設定の照明装置２を示す照明装置図３２０とは異なる態様で表示されることから、ユーザは、レイアウト図３１０から、自身が現在存在する部屋１２０のすべての照明装置２に関する設定が完了したか否かを判定することができる。図１９は、一覧表４１１に照明装置情報が示される照明装置２のすべてに関する設定が完了した状態での設定画面２００の一例を示す図である。図１９の例では、ユーザが存在する部屋１２０に配置された１６個の照明装置２のうち、半分の８個の照明装置２に関する設定が完了している。
【０１１１】
ユーザは、自身が現在存在する部屋１２０のすべての照明装置２に関する設定が完了していないと判定すると、設定器３を所持して部屋１２０内を移動し、未設定の照明装置２と設定器３との間の距離が小さくなるようにする。そして、ユーザは、タッチパネルディスプレイ３５に対して出力要求ボタン４２０を選択する操作を行う。
【０１１２】
ステップｓ１１において、タッチパネルディスプレイ３５が、設定画面２００の出力要求ボタン４２０を選択する操作を受け付けると、ステップｓ１２において、通信部３１は出力要求信号を送信する。以後、同様にして、ステップｓ５１，ｓ５２，ｓ１３，ｓ１４が実行される。ステップｓ１４において一覧表４１１が更新されると、一覧表４１１には、未設定の照明装置２に関する照明装置情報が示される。ここで、すでに設定済みの照明装置２からの照明装置情報が設定器３で受信された場合には、一覧表４１１での当該照明装置情報を示す欄の表示態様は、設定済み表示態様となる。
【０１１３】
ユーザは、ステップｓ１４で更新された一覧表４１１を確認して、未設定の照明装置２を特定する。そして、ユーザは、未設定の照明装置２を設定対象の照明装置２として選択する設定対象選択操作をタッチパネルディスプレイ３５に実行する。ステップｓ２１において、タッチパネルディスプレイ３５が新たな設定対象選択操作を受け付けると、ステップｓ２２以降が同様に実行される。
【０１１４】
以後、ユーザは、一覧表４１１及びレイアウト図３１０を確認しながら設定器３を操作することによって、部屋１２０に存在するすべての照明装置２に関する設定を設定器３に実行させる。ユーザは、部屋１２０に存在するすべての照明装置２に関する設定が完了すると、部屋１２０に存在する各照明装置２を管理するエリアコントローラ５と、設定器３とが通信できるように、当該設定器３を所持して移動する。そして、ユーザは、設定器３を操作して、設定器３に、部屋１２０に存在する各照明装置２に関するＩＤ対応付け情報を、当該照明装置３を管理するエリアコントローラ５に対して送信させる。これにより、部屋１２０に存在する各照明装置２を管理するエリアコントローラ５は、部屋１２０に存在する各照明装置２に設定されたＰＡＮ  ＩＤを知ることができる。よって、当該エリアコントローラ５は、部屋１２０に存在する各照明装置２と無線通信することが可能となる。
【０１１５】
本実施の形態では、設定器３は、統合コントローラ６に有線等で接続されることによって、統合コントローラ６と通信可能となっている。ユーザは、部屋１２０に存在するすべての照明装置２に関する設定が完了すると、設定器３を統合コントローラ６に接続して、設定器３が統合コントローラ６と通信できるようにする。そして、ユーザは、設定器３を操作して、設定器３に、部屋１２０に存在する各照明装置２に関する位置対応付け情報を統合コントローラ６に送信させる。統合コントローラ６は、設定器３から受信した位置対応付け情報を記憶部６４に記憶して、当該位置対応付け情報を位置対応関係情報に含ませる。
【０１１６】
なお、統合コントローラ６ではなくビル管理コントローラが位置対応関係情報を管理する場合には、設定器３が生成した位置対応付け情報は、統合コントローラ６ではなくビル管理コントローラに入力される。このとき、設定器３とビル管理コントローラとを直接接続して、設定器３からビル管理コントローラに位置対応付け情報が入力されて良い。あるいは、設定器３と通信可能なエリアコントローラ５及び統合コントローラ６を介して、設定器３から位置対応付け情報がビル管理コントローラに入力されても良い。
【０１１７】
ユーザは、別の部屋の照明装置２に関する設定を設定器３に実行させる際には、設定器３を所持してその部屋に移動する。そして、ユーザは、その部屋内で設定器３を同様に操作することによって、その部屋の各照明装置２に関する設定を設定器３に実行させる。ある部屋の各照明装置２に関する設定が設定器３で実行されると、それによって得られた位置対応付け情報及びＩＤ対応付け情報が、統合コントローラ６及び当該照明装置２を管理するエリアコントローラ５にそれぞれ入力される。
【０１１８】
本実施の形態に係る照明システム１がビルに導入される場合には、ビルに設けられた各照明装置に関する設定が上記のようにして設定器３で実行される。また、照明システム１が既に導入されているビルにおいて、照明装置２が追加されたり、照明装置２の交換が行われたりする場合には、その新しい照明装置２に関する設定が設定器３で実行される。
【０１１９】
なお上記の例では、設定器３は、未設定の照明装置２に関する設定を行っているが、設定済みの照明装置２に関する設定を変更することも可能である。つまり、設定器３は、照明装置２に関する設定の再設定も可能である。上述のステップｓ２１において、タッチパネルディスプレイ３５が、設定済みの照明装置２を設定対象として選択する設定対象選択操作を受け付けると、ステップｓ２２において、制御部３０は、設定対象選択操作で選択された設定対象の照明装置２に変更指示信号を通信部３１に送信させる。以後、ステップｓ６１以降が同様に実行されて、設定対象の照明装置２に関する設定が実行される。つまり、設定済みの照明装置２に関する設定が再設定される。
【０１２０】
また、設定器３と照明装置２との間の無線通信で使用される使用無線チャネルを予め定めておいて、使用無線チャネルを示す使用無線チャネル情報を設定器３及び各照明装置２に予め記憶させておいても良い。また設定器３が、照明装置２が使用する無線チャネルが不明である場合には、チャネルスキャンを行って、照明装置２が使用する無線チャネルを特定し、特定した無線チャネルを用いて、照明装置２と無線通信を行っても良い。例えば、設定器３は、上述のステップｓ１２において、各無線チャネルを用いて出力要求信号を送信する。そして、設定器３は、ステップｓ１３において、各無線チャネルを用いて、照明装置２からの、照明装置情報を含む送信信号を受信する。設定器３は、照明装置２から、照明装置情報を含む送信信号を受信した無線チャネルを、照明装置２が使用する無線チャネルとする。
【０１２１】
また上記の例では、設定器３からの出力要求信号を受信した照明装置２が、照明装置情報を含む信号を送信しているが、設定器３に出力要求ボタン４２０を設けずに、つまり設定器３からは出力要求信号を送信することなく、未設定の照明装置２が自ら、照明装置情報を含む信号を間隔を空けて送信しても良い。この場合には、ユーザ操作が簡素化される。
【０１２２】
以上のように、設定器３がユーザ操作に応じて照明装置２に関する設定を行うため、照明装置２がユーザによって直接触れられることなく、当該照明装置２に関する設定が実行される。よって、照明装置２に関する設定の作業効率が向上する。また上記のように、照明装置２が天井等に設置された後に、設定器３によって当該照明装置２に関する設定が可能であることから、作業効率がさらに向上する。
【０１２３】
これに対して、照明装置２に対して、ＰＡＮ  ＩＤ等の設定情報の設定用のディップスイッチを設けることによっても、照明装置２に設定情報を設定することが可能である。この場合には、ユーザは、照明装置２のディップスイッチを直接操作する必要がある。さらにディップスイッチがケース等で覆われている場合には、当該ケース等を外した上でディップスイッチを操作する必要がある。そのため、作業時間が長くなる。特に、ビルへの照明システムの導入時には、非常に多くの照明装置２に対して設定情報を設定する必要があることから、この問題は顕著になる。また、天井に設定された照明装置２の設定情報を変更する場合等においては、ユーザは脚立等に乗った状態で当該照明装置２のディップスイッチを操作する必要があり、作業時間が長くなる。
【０１２４】
本実施の形態では、設定器３が使用されることによって、照明装置２がユーザによって直接触れられることなく、当該照明装置２に関する設定が実行されることから、上記のような問題が発生することがなく、作業時間を大幅に短くすることができる。よって、作業コストを大幅に低減することができる。さらに、照明装置２においては、ディップスイッチ及びその周辺の回路等が不要となることから、照明装置２単体の材料コストを低減することができる。
【０１２５】
なお、照明装置２に固有の識別情報については、物理アドレス以外であっても良い。また上記の例では、設定器３が照明装置２に設定する設定情報は、ＰＡＮ  ＩＤであったが、他の情報であっても良い。例えば、設定器３が照明装置２に設定する設定情報は、ショートアドレスあるいは無線チャネル情報であっても良い。また、エリアコントローラ５と照明装置２との間の通信が暗号化される場合には、その暗号化で使用される暗号キーが、設定器３が照明装置２に設定する設定情報であっても良い。
【０１２６】
また、設定器３が複数種類の設定情報を照明装置２に設定できるようにしても良い。例えば、設定器３がＰＡＮ  ＩＤ及びショートアドレスを照明装置２に設定できるようにしても良いし、ＰＡＮ  ＩＤ、ショートアドレス及び無線チャネル情報を照明装置２に設定できるようにしても良い。
【０１２７】
また、設定画面２００の一覧表４１１には、物理アドレス、ＰＡＮ  ＩＤ及び信号強度以外の情報が示されても良い。例えば、ショートアドレス及び無線チャネル情報の少なくとも一つが一覧表４１１に示されても良い。また、エリアコントローラ５と照明装置２との間の通信が暗号化される場合には、その暗号化で使用される暗号キーが一覧表４１１に示されても良い。
【０１２８】
また上記の例では、一覧表４１１に示される信号強度は、照明装置２が設定器３から受信した受信信号の信号強度であったが、設定器３が照明装置２から受信した受信信号の信号強度であっても良い。また、照明装置２が設定器３から受信した受信信号の信号強度と、設定器３が照明装置２から受信した受信信号の信号強度との両方が一覧表４１１に示されても良い。一覧表４１１に、設定器３が照明装置２から受信した受信信号の信号強度が示される場合には、設定器３では、制御部３０が、ステップｓ１３において通信部３１が受信する、照明装置情報を含む送信信号のＲＳＳＩを、設定器３が照明装置２から受信した受信信号の信号強度として求める。また、制御部３０は、ステップｓ４４で通信部３１が受信するＡＣＫ信号のＲＳＳＩを、設定器３が照明装置２から受信した受信信号の信号強度として求める。
【０１２９】
また上記の例では、ユーザによって直接入力されたＰＡＮ  ＩＤが設定対象の照明装置２に設定されているが、設定器３において、ＰＡＮ  ＩＤ等の照明装置２に対する設定情報とエリアコントローラ５とを対応付けておいて、ユーザによって、設定対象の照明装置２を管理するエリアコントローラ５が指定されると、指定されたエリアコントローラ５に対応付けられた設定情報が設定対象の照明装置２に設定されても良い。この場合には、例えば、設定情報入力画面５００を利用してユーザが番号等でエリアコントローラ５を指定できるように設定器３を構成する。設定器３は、ユーザが指定したエリアコントローラ５に対応付けられている設定情報を設定対象の照明装置２に送信する。これにより、設定対象の照明装置２では、設定器３を利用してユーザが指定したエリアコントローラ５に対応付けられている設定情報が設定される。
【０１３０】
＜各種変形例＞
以下に本実施の形態に係る照明システム１の各種変形について説明する。
【０１３１】
＜第１変形例（複数の照明装置の同時選択）＞
上記の例では、上述のステップｓ２２が実行される前においては、設定対象の照明装置２が一つ選択されていたが、設定対象の照明装置２が複数選択されても良い。例えば、ユーザが、一覧表４１１に含まれる複数の欄に対して順番にタップ操作を行うと、当該複数の欄にそれぞれ対応する複数の照明装置２が設定対象として選択されても良い。図２０は、複数の照明装置２が設定対象として選択されている場合の設定画面２００の一例を示す図である。図２０の例では、物理アドレス「１２：３４：５６：７８」の照明装置２と、物理アドレス「１２：３４：５６：７９」の照明装置２と、物理アドレス「１２：３４：５６：７Ａ」の照明装置２と、物理アドレス「１２：３４：５６：７Ｂ」の照明装置２と、物理アドレス「１２：３４：５６：７Ｃ」の照明装置２とが設定対象として選択されている。
【０１３２】
ステップｓ２１において、タッチパネルディスプレイ３５が、一覧表４１１に含まれる複数の欄のそれぞれに対するタップ操作を受け付けると、ステップｓ２２において、設定器３は、設定対象として選択された複数の照明装置２のそれぞれに対して変更指示信号を送信する。これにより、設定対象の複数の照明装置２のそれぞれが点滅するようになる。
【０１３３】
ユーザは、複数の照明装置２が設定対象として選択されている場合に、タッチパネルディスプレイ３５に対して位置情報指定操作を行う際には、当該複数の照明装置２のそれぞれについて個別に、図１４に示されるような、ドラッグアンドドロップに類似した装置図選択操作を行う。設定器３は、設定対象の複数の照明装置２のそれぞれについて、図１４に示されるような、ドラッグアンドドロップに類似した装置図選択操作が行われると、当該複数の照明装置２のそれぞれについて、当該照明装置２の物理アドレスと、全体レイアウト情報に含まれる、当該照明装置２の位置を示す照明位置情報との対応付けを行う。複数の照明装置２が設定対象として選択される場合には、当該複数の照明装置２のそれぞれについて個別にステップｓ３１及びｓ３２が実行される。
【０１３４】
また、複数の照明装置２が設定対象として選択されている場合に、図１０のステップｓ４１において、ＰＡＮ  ＩＤの入力操作がタッチパネルディスプレイ３５で受け付けられ、ステップｓ４２において送信ボタン５２０が選択される操作がタッチパネルディスプレイ３５で受け付けられると、設定器３は、ステップｓ４３において、設定対象として選択されている複数の照明装置２のそれぞれに対して、入力されたＰＡＮ  ＩＤを送信する。これにより、設定対象として選択されている複数の照明装置２のそれぞれに対して、ユーザによって入力された同じＰＡＮ  ＩＤが設定される。
【０１３５】
このように、本変形例では、複数の照明装置２が設定対象として選択されているとき、設定器３の操作部３４が設定情報の入力操作を受け付けると、当該複数の照明装置２に対しては共通の設定情報が送信されることから、簡単な操作で、複数の照明装置２に対して同じ設定情報を設定することができる。よって、設定器３の操作性が向上するとともに、複数の照明装置２に対する設定情報の設定に必要な時間が短縮される。
【０１３６】
＜第２変形例（対応付け確認画面の表示）＞
設定器３は、上述のステップｓ３２において、設定対象の照明装置２の物理アドレスと、位置情報指定操作が指定されて照明位置情報とを対応付ける場合には、その対応付けを行って良いか否かをユーザに確認するための対応付け確認画面６００を表示しても良い。図２１は対応付け確認画面６００の一例を示す図である。図２１に示される対応付け確認画面６００には、設定対象の照明装置２の物理アドレスと照明位置情報との対応付けを行うことを指示するための第１指示ボタン６１０と、設定対象の照明装置２の物理アドレスと照明位置情報との対応付けを行わないことを指示するための第２指示ボタン６２０とが含まれている。ユーザが第１指示ボタン６１０をタップ操作するなどして、ユーザが第１指定ボタン６１０を選択する操作を行うと、設定器３では、制御部３０が、設定対象の照明装置２の物理アドレスと照明位置情報との対応付けを行う。一方で、ユーザが第２指示ボタン６２０をタップ操作するなどして、ユーザが第２指定ボタン６２０を選択する操作を行うと、設定器３では、制御部３０は、設定対象の照明装置２の物理アドレスと照明位置情報との対応付けを行わない。
【０１３７】
このように、本変形例では、対応付け確認画面６００が表示されることから、ユーザの操作ミスにより、設定対象の照明装置２の物理アドレスに対して、誤った照明位置情報が対応付けられることを抑制することができる。よって、設定対象の照明装置２の物理アドレストと、全体レイアウト情報における、設定対象の照明装置２の位置を示す照明位置情報との対応付けミスが発生することをさらに抑制できる。
【０１３８】
＜第３変形例（設定情報入力画面の一時表示）＞
上記の例では、設定画面２００に設定情報入力画面５００が常に示されているが、ステップｓ３１においてタッチパネルディスプレイ３５が位置情報指定操作を受け付けたときに設定情報入力画面５００が一時的に示されても良い。図２２は、タッチパネルディスプレイ３５が位置情報指定操作を受け付けたときに設定情報入力画面５００が表示される様子を示す図である。
【０１３９】
設定器３では、ステップｓ３１において、タッチパネルディスプレイ３５が位置情報指定操作（装置図選択操作）を受け付けると、制御部３０は、ステップｓ３２において、設定対象の照明装置２の物理アドレスと、当該位置情報指定操作によって指定される照明位置情報とを対応付けるとともに、設定情報入力画面５００を表示部３３に表示させる。設定器３では、ステップｓ４１においてタッチパネルディスプレイ３５がＰＡＮ  ＩＤの入力操作を受け付け、ステップｓ４２においてタッチパネルディスプレイ３５が送信ボタン５２０の選択操作を受け付けると、制御部３０は、ステップｓ４３において、通信部３１に、入力されたＰＡＮ  ＩＤを送信させるとともに、表示部３３に、設定情報入力画面５００の表示を消去させる。以後、照明システム１は同様に動作する。
【０１４０】
このように、本変形例では、設定情報入力画面５００が必要なときにだけ表示されることから、設定画面２００を有効利用することができる。
【０１４１】
＜第４変形例（照明位置情報と設定情報との対応付け）＞
本変形例では、全体レイアウト情報に含まれる各照明位置情報にＰＡＮ  ＩＤが予め対応付けられている。そして、位置情報指定操作が行われた際に、当該位置情報指定操作で指定された照明位置情報に対応付けられたＰＡＮ  ＩＤが設定対象の照明装置２に自動的に送信される。
【０１４２】
具体的には、設定器３の記憶部３２に記憶される全体レイアウト情報では、各照明位置情報に対してＰＡＮ  ＩＤが対応付けられている。設定器３では、ステップｓ３１において、タッチパネルディスプレイ３５が装置図選択操作を受け付けると、制御部３０は、当該装置図選択操作によって選択された照明装置図３２０に対応する、全体レイアウト情報に含まれる照明位置情報を特定する。そして、制御部３０は、特定した照明位置情報と、設定対象の照明装置２の物理アドレスとを対応付けるとともに、特定した照明位置情報に対応付けられているＰＡＮ  ＩＤを記憶部３２から取得する。そして、制御部３０は、取得したＰＡＮ  ＩＤを設定対象の照明装置２に対して通信部３１に送信させる。以後、ステップｓ７１以降が同様に実行される。
【０１４３】
このように、本変形例では、全体レイアウト情報に含まれる各照明位置情報には、当該照明位置情報に対応する照明装置２に対する設定情報が対応付けられている。そして、操作部３４が受け付けた、照明位置情報を指定する位置情報指定操作に応じて、当該照明位置情報に対応付けられた設定情報が設定対象の照明装置２に送信される。したがって、ユーザは、位置情報指定操作を行うだけで、設定対象の照明装置２の物理アドレスと照明位置情報との対応付けと、設定対象の照明装置２に対する設定情報の設定との両方を設定器３に実行させることができる。よって、ユーザ操作が簡素化され、設定器３の操作性が向上する。
【０１４４】
＜第５変形例（信号強度に基づく一覧表のソート）＞
上記の例では、設定画面２００に示される一覧表４１１では、各欄が、物理アドレスの小さいもの順に並んでいたが、図２３に示されるように、信号強度が大きいもの順に並んでも良い。つまり、表示部３３は、一覧表４１１に含まれる各欄を、信号強度が大きいもの順に表示しても良い。
【０１４５】
ここで、照明装置２がユーザに近いものから順に設定対象とされる場合には、ユーザは設定対象の照明装置２を特定し易くなる。したがって、この場合には、照明装置２の物理アドレスと照明位置情報との対応付けミスの発生を抑制することができる。
【０１４６】
本例では、一覧表４１１の各欄が、信号強度が大きいもの順に並ぶため、ユーザは、自身に近いものから順に照明装置２を設定対象として選択し易くなる。よって、ユーザは、設定対象の照明装置２を特定し易くなり、照明装置２の物理アドレスと照明位置情報との対応付けミスの発生を抑制することができる。
【０１４７】
また上記の例のように、一覧表４１１に含まれる、設定対象の照明装置に対応する欄が選択されることによって、設定対象の照明装置が選択される場合には、ユーザは、一覧表に含まれる各欄を上から順に選択することによって、自身に近いものから順に照明装置２を設定対象として選択することができる。よって、ユーザは、自身に近いものから順に照明装置２を設定対象としてさらに選択し易くなる。その結果、照明装置２の物理アドレスと照明位置情報との対応付けミスの発生をさらに抑制することができる。
【０１４８】
＜第６変形例（設定対象の照明装置の自動選択）＞
上記の例では、ユーザによる設定対象選択操作によって、設定対象の照明装置２が選択されていたが、設定器３が設定対象の照明装置２を順に選択しても良い。この場合には、例えば、ステップｓ１４において一覧表４１１が更新されると、制御部３０は、一覧表４１１に照明装置情報が示される未設定の照明装置２から、設定対象の照明装置２を選択する。そして、制御部３０は、ステップｓ２２を実行して、設定対象の照明装置２に対して変更指示信号を通信部３１に送信させる。ステップｓ６１以降が同様に実行された後、ステップｓ４５が実行されて一覧表４１１が更新されると、制御部３０は、一覧表４１１に照明装置情報が示される未設定の照明装置２から、設定対象の照明装置２を選択する。そして、制御部３０は、ステップｓ２２を実行して、設定対象の照明装置２に対して変更指示信号を通信部３１に送信させる。以後、一覧表４１１に照明装置情報が示される照明装置２において、未設定の照明装置２が含まれないようになるまで、制御部３０は設定対象の照明装置２を選択する。
【０１４９】
このように、本例では、制御部３０が、複数の照明装置２から設定対象の照明装置２を順番に選択する選択部として機能する。したがって、設定器３では、設定対象の照明装置２が自動的に順に選択されるようになる。よって、ユーザ操作が簡素化され、設定器３の操作性が向上する。
【０１５０】
なお、制御部３０は、複数の照明装置２から設定対象の照明装置２を順番に選択する場合には、設定器３との間の信号強度が大きいもの順に複数の照明装置２から設定対象の照明装置２を順番に選択しても良い。この場合には、ユーザに近いものから順に照明装置２が設定対象とされるため、ユーザは設定対象の照明装置２を特定し易くなる。また、この場合には、上記の第５変形例のように、一覧表４１１の各欄が、信号強度が大きいもの順に並んでも良い。
【０１５１】
また、図２４に示されるような自動選択ボタン４５０を設けて、ユーザが当該自動選択ボタン４５０を選択する操作を行った場合に、制御部３０は、複数の照明装置２から設定対象の照明装置２を順番に選択しても良い。この場合には、ユーザは、自動選択ボタン４５０を選択する操作を行う前は、設定対象選択操作によって、設定対象の照明装置２を選択することができる。ユーザが自動選択ボタン４５０を選択する操作としては、例えば、自動選択ボタン４５０に対するタップ操作が採用される。
【０１５２】
＜第７変形例（未設定台数の表示）＞
設定画面２００には、一覧表４１１に照明装置情報が示される複数の照明装置２に含まれる未設定の照明装置２の台数を示す未設定台数情報４６０が示されても良い。図２５は未設定台数情報４６０の表示例を示す図である。未設定台数情報４６０は、例えば、ステップｓ４５での一覧表４１１の更新時に更新される。
【０１５３】
このように、設定画面２００に未設定台数情報４６０が示されることによって、未設定の照明装置２に関する設定の漏れが発生することを抑制することができる。
【０１５４】
＜第８変形例（未設定欄通知マーク）＞
一覧表４１１が大きく、一覧表４１１のすべてが一覧表画面４１０に表示されていない場合には、一覧表４１１に含まれる未設定欄（未設定の照明装置２の照明装置情報が示される欄）が一覧表画面４１０に表示されていない状況が発生することがある。この場合には、ユーザが未設定の照明装置２の存在に気付かず、未設定の照明装置２に関する設定が行われない可能性がある。
【０１５５】
そこで、本変形例では、スクロールバー４１２において、一覧表画面４１０に表示されていない未設定欄に対応する部分には、当該未設定欄が存在することをユーザに対して通知するための未設定欄通知マーク４１２ｂが示される。図２６は未設定欄通知マーク４１２ｂの表示例を示す図である。図２６に示される例では、未設定欄通知マーク４１２ｂは、棒状のマークであり、例えば青色で表示される。未設定欄通知マーク４１２ｂは、スクロールバー４１２において、表示スライド用のノブ４１２ａが示される領域以外の領域に示される。
【０１５６】
このように、未設定欄通知マーク４１２ｂがスクロールバー４１２に示されることによって、ユーザが未設定の照明装置２の存在に気付かないことを抑制することができる。よって、未設定の照明装置２に関する設定が行われないことを抑制することができる。
【０１５７】
＜第９変形例（ユーザの向きの表示）＞
本変形例では、設定器３に電子コンパスが搭載されている。設定器３では、制御部３０が、電子コンパスの出力信号に基づいて、設定器３を持つユーザの向きを特定する。そして、制御部３０は、特定したユーザの向きを示すユーザ向き情報７００が示された設定画面２００を表示部３３に表示させる。
【０１５８】
図２７はユーザ向き情報７００の表示例を示す図である。図２７に示されるユーザ向き情報７００では、人の図形が使用されてユーザの向きが示されている。なお、ユーザ向き情報７００は、ユーザの向きを示す矢印等であっても良い。図２７に示されるように、設定画面２００には、ユーザ向き情報７００とともに、レイアウト図３１０での方位を示す図形７１０が示されても良い。図２７の例では、設定器３を持つユーザは西側を向いている。
【０１５９】
このように、本変形例に係る設定画面２００では、レイアウト図３１０とともにユーザ向き情報７００が示されることから、ユーザは設定対象の照明装置２を特定しやすくなる。よって、設定対象の照明装置２の物理アドレスと照明位置情報との対応付けミスが発生することをさらに抑制することができる。
【０１６０】
＜第１０変形例（グループＩＤの設定）＞
本変形例では、エリアコントローラ５が、自身が属するエリアネットワークに属する複数の照明装置２とグループ単位で通信することが可能な場合での照明システム１の動作について説明する。
【０１６１】
本変形例では、設定器３が、エリアコントローラ５がグループ単位で照明装置２と通信するために必要なグループＩＤを照明装置２に設定する。ユーザは設定画面２００を使用して照明装置２に対してグループＩＤを設定器３に設定させることができる。
【０１６２】
図２８は本変形例に係る設定画面２００を示す図である。図２８に示されるように、本変形例に係る設定画面２００に含まれる設定情報入力画面５００には、ＰＡＮ  ＩＤ入力画面５１０と、グループＩＤ入力画面５３０とが含まれている。ユーザは、グループＩＤ入力画面５３０を利用して、照明装置２に設定するグループＩＤを設定器３に入力することができる。
【０１６３】
グループＩＤ入力画面５３０には、「グループＩＤ」という文字列が示される文字列画面５３１と、ユーザが入力したグループＩＤが示される入力ＩＤ表示画面５３２とが含まれる。ユーザは、入力ＩＤ表示画面５３２を利用してグループＩＤの入力操作を行う。具体的には、ユーザは、まず、入力ＩＤ表示画面５３２を選択する操作を行う。そうすると、例えば、設定情報入力画面５００の上に、複数種類のグループＩＤの一覧が表示される。ユーザは、その一覧から入力すべきグループＩＤを選択する操作を行う。ユーザによって選択されたグループＩＤは、入力ＩＤ表示画面５３２に示される。入力ＩＤ表示画面５３２を選択する操作としては、例えば、入力ＩＤ表示画面５３２に対するタップ操作が採用される。また、グループＩＤの一覧から入力すべきグループＩＤを選択する操作としては、当該グループＩＤが表示されている部分に対するタップ操作が採用される。
【０１６４】
一つのエリアネットワークに含まれる各照明装置２は、例えば最大で１６グループに属することができる。各照明装置２は、一つのグループに属するだけではなく、複数のグループに属することが可能である。また各照明装置２は、どのグループにも属さないことも可能である。本変形例では、グループＩＤの種類は“１”〜“１６”の１６種類定められている。
【０１６５】
次に設定器３が照明装置２に対してグループＩＤを設定する際の本変形例に係る照明システム１の動作について説明する。上述のステップｓ３２が実行された後、ユーザは、タッチパネルディスプレイ３５に対して、ＰＡＮ  ＩＤの入力操作を行うとともに、グループＩＤの入力操作を行う。設定器３では、ステップｓ４１において、タッチパネルディスプレイ３５が、ＰＡＮ  ＩＤの入力操作と、グループＩＤの入力操作とを受け付けると、表示部３３は、入力されたＰＡＮ  ＩＤを入力ＩＤ表示画面５１２に示し、入力されたグループＩＤを入力ＩＤ表示画面５３２に示す。図２９はその様子を示す図である。
【０１６６】
ステップｓ４１の後、ステップｓ４２においてタッチパネルディスプレイ３５が送信ボタン５２０の選択操作を受け付けると、制御部３０は、ステップｓ４３において、入力されたＰＡＮ  ＩＤ及びグループＩＤと、設定対象の照明装置２の物理アドレスとを含む送信信号を通信部３１に送信させる。また、制御部３０は、入力されたＰＡＮ  ＩＤと設定対象の照明装置２の物理アドレスとを対応付けて、その対応付けを示すＩＤ対応付け情報（本変形例では「第１のＩＤ対応付け情報」と呼ぶ）を記憶部３２に記憶する。さらに、制御部３０は、入力されたグループＩＤと設定対象の照明装置２の物理アドレスとを対応付けて、その対応付けを示す第２のＩＤ対応付け情報を記憶部３２に記憶する。
【０１６７】
ステップｓ７１において、設定器３からの送信信号を通信部２１で受信した照明装置２では、制御部２０が、当該送信信号に含まれる物理アドレスと、自身の物理アドレスとを比較する。制御部２０は、両者が一致しないときには、通信部２１が受信した送信信号は自分宛ての信号ではないと判断して、当該送信信号に含まれるＰＡＮ  ＩＤ及びグループＩＤを破棄する。一方で、制御部２０は、両者が一致するときには、通信部２１が受信した送信信号は自分宛ての信号であると判断して、照明器具２４の点灯状態の変更を解除する（ステップｓ７２）。そして、制御部２０は、ステップｓ７３において、通信部２１が受信した自分宛ての送信信号に含まれるＰＡＮ  ＩＤ及びグループＩＤを、記憶部２２の設定レジスタに書き込む。これにより、設定対象の照明装置２に対してＰＡＮ  ＩＤ及びグループＩＤが設定される。その後、ステップｓ７４が実行され、以後同様に照明システム１は動作する。
【０１６８】
ユーザは、部屋１２０に存在するすべての照明装置２に関する設定が完了すると、部屋１２０に存在する各照明装置２を管理するエリアコントローラ５と、設定器３とが通信できるように、当該設定器３を所持して移動する。そして、ユーザは、設定器３を操作して、設定器３に、部屋１２０に存在する各照明装置２に関する第１のＩＤ対応付け情報を、当該照明装置３を関するエリアコントローラ５に送信させる。これにより、部屋１２０に存在する各照明装置２を管理するエリアコントローラ５は、部屋１２０に存在する各照明装置２に設定されたＰＡＮ  ＩＤを知ることができる。
【０１６９】
また、設定器３で生成された第２のＩＤ対応付け情報は、設定器３で生成された位置対応付け情報とともに統合コントローラ６に入力される。統合コントローラ６に接続された設定器３に対して所定の操作が行われると、設定器３は、各照明装置２についての第２のＩＤ対応付け情報及び位置対応付け情報を統合コントローラ６に送信する。統合コントローラ６は、設定器３から受信した第２のＩＤ対応付け情報及び位置対応付けを記憶部６４に記憶する。これにより、統合コントローラ６は、各エリアネットワークにおいて、複数の照明装置２がどのようにグループ分けされているかを特定することができる。よって、統合コントローラ６は、エリアコントローラ５に対してグループＩＤを指定することによって、グループ単位の照明装置２の制御が可能となる。
【０１７０】
なお、ビル管理コントローラが位置対応関係情報を管理する場合には、設定器３が生成した位置対応付け情報及び第２のＩＤ対応付け情報は、統合コントローラ６ではなくビル管理コントローラに入力される。このとき、設定器３とビル管理コントローラとを直接接続して、設定器３からビル管理コントローラに位置対応付け情報及び第２のＩＤ対応付け情報が入力されて良い。あるいは、設定器３と通信可能なエリアコントローラ５及び統合コントローラ６を介して、設定器３から位置対応付け情報及び第２のＩＤ対応付け情報がビル管理コントローラに入力されても良い。
【０１７１】
各エリアコントローラ５は、自身が属するエリアネットワークでのあるグループの複数の照明装置２に対して所定の情報を送信する際には、当該所定の情報と、当該エリアネットワークのＰＡＮ  ＩＤと、当該あるグループのグループＩＤとを含む送信信号を通信部５１に送信させる。
【０１７２】
照明装置２では、通信部２１が受信するエリアコントローラ５からの信号に含まれるＰＡＮ  ＩＤ及びグループＩＤと、設定レジスタに記憶されるＰＡＮ  ＩＤ及びグループＩＤとを制御部２０がそれぞれ比較する。制御部２０は、エリアコントローラ５からのＰＡＮ  ＩＤと設定レジスタ内のＰＡＮ  ＩＤとが一致し、かつエリアコントローラ５からのグループＩＤと、設定レジスタ内のグループＩＤとが一致する場合には、エリアコントローラ５からの信号が自身宛ての信号であると判定して、当該信号に含まれる所定の情報に応じた処理を行う。それ以外の場合には、制御部２０は、エリアコントローラ５からの信号が自身宛ての信号でないと判定して、当該信号に含まれる所定の情報を破棄する。
【０１７３】
このように、エリアコントローラ５は、グループＩＤを使用してグループ単位で照明装置２と通信することができる。
【０１７４】
なお、一覧表４１１の各欄には、それに対応する照明装置２のグループＩＤが示されても良い。また、第１変形例のように、複数の照明装置２が設定対象として選択されているとき、タッチパネルディスプレイ３５がＰＡＮ  ＩＤ及びグループＩＤの入力操作を受け付けると、当該複数の照明装置２に対して共通のＰＡＮ  ＩＤ及びグループＩＤが設定されても良い。
【０１７５】
また、第３変形例のように、タッチパネルディスプレイ３５が位置情報指定操作を受け付けたときに、本変形例に係る設定情報入力画面５００が表示されても良い。
【０１７６】
また、第４変形例のように、全体レイアウト情報に含まれる各照明位置情報に対して、当該照明位置情報に対応する照明装置２に設定するＰＡＮ  ＩＤ及びグループＩＤが対応付けられ、タッチパネルディスプレイ３５が受け付けた、照明位置情報を指定する位置情報指定操作に応じて、当該照明位置情報に対応付けられたＰＡＮ  ＩＤ及びグループＩＤが設定対象の照明装置２に設定されても良い。
【０１７７】
＜第１１変形例（エリアコントローラの通信状態確認）＞
本変形例では、設定器３を利用した、エリアコントローラ５の通信状態の確認方法について説明する。
【０１７８】
本変形例では、図３０に示されるように、ユーザ１００は、エリアコントローラ５の周辺で設定器３を使用する。つまり、設定器３を所持したユーザ１００は、エリアコントローラ５の周辺（近傍）で設定器３を操作する。そして、本変形例では、エリアコントローラ５の送信電力と、設定器３の送信電力とが同一とされている。
【０１７９】
エリアコントローラ５の周辺に位置するユーザが、設定器３に表示される設定画面２００の出力要求ボタン４２０を選択する操作をタッチパネルディスプレイ３５に対して行うと、照明システム１では、上述のステップｓ１１，ｓ１２，ｓ５１，ｓ５２，ｓ１３，１４と同様の処理が実行されて、一覧表４１１が更新される。その結果、上述の図１１等に示されるように、一覧表４１１には、設定器３が通信可能な各照明装置２についての信号強度が示される。ユーザは、一覧表４１１に示される信号強度に基づいて、エリアコントローラ５についての照明装置２との間の通信状態が良好か否かを判断する。
【０１８０】
ここで、本変形例では、設定器３はエリアコントローラ５の周辺で使用され、エリアコントローラ５の送信電力と、設定器３の送信電力とが同一とされている。したがって、設定器３についての照明装置２との間の通信状態は、エリアコントローラ５についての照明装置２との間の通信状態であると見なすことができる。よって、ユーザは、一覧表４１１に示される信号強度に基づいて、エリアコントローラ５についての照明装置２との間の通信状態が良好か否かを判断することができる。
【０１８１】
具体的には、ユーザは、一覧表４１１に示される各信号強度を確認し、しきい値よりも小さい信号強度が一覧表４１１に示されている場合には、エリアコントローラ５についての照明装置２との間の通信状態が良好ではないと判断する。この場合には、ユーザは、照明装置２との間の通信状態が良くなるように、エリアコントローラ５の設置場所を変更したり、エリアコントローラ５のアンテナ５１ａの位置を変更したりする。また、場合によっては、ユーザは、エリアコントローラ５の追加を検討する。一方で、ユーザは、一覧表４１１に示される各信号強度がしきい値以上の場合には、エリアコントローラ５についての照明装置２との間の通信状態が良好であると判断する。
【０１８２】
ユーザは、エリアコントローラ５の設置場所を変更したり、エリアコントローラ５のアンテナ５１ａの位置を変更したりした場合には、再度、エリアコントローラ５の周辺で設定器３を操作して、設定器３に一覧表４１１を更新させる。そして、ユーザは、一覧表４１１に示される各信号強度に基づいて、再度、エリアコントローラ５についての照明装置２との間の通信状態が良好か否かを判断する。
【０１８３】
上述のような、エリアコントローラ５の通信状態の確認については、図９，１０に示される照明装置設定処理の実行とは別に独立して実行されて良い。例えば、エリアコントローラ５の通信状態の確認は、照明装置設定処理が実行される前に実行されて良い。
【０１８４】
また、エリアコントローラ５の通信状態の確認については、照明装置設定処理の実行中に実行されても良い。この場合には、ユーザは、上述のステップｓ１４が実行されて一覧表４１１が更新された後に、一覧表４１１に示される信号強度に基づいて、エリアコントローラ５についての照明装置２との間の通信状態が良好か否かを判断する。ユーザは、エリアコントローラ５についての照明装置２との間の通信状態が良好でないと判断すると、エリアコントローラ５の設置場所を変更したり、エリアコントローラ５のアンテナ５１ａの位置を変更したりする。その後、ユーザは、エリアコントローラ５の周辺で、設定器３の出力要求ボタン４２０を選択する操作を再度タッチパネルディスプレイ３５に対して行う。これにより、照明システム１では、ステップｓ１１以降が実行される。そして、ステップｓ１４が実行されると、ユーザは、再度、一覧表４１１に示される信号強度に基づいて、エリアコントローラ５についての照明装置２との間の通信状態が良好か否かを判断する。
【０１８５】
ユーザは、エリアコントローラ５についての照明装置２との間の通信状態が良好と判断できるまで、エリアコントローラ５の設置場所の変更等と、出力要求ボタン４２０を選択する操作と、エリアコントローラ５についての照明装置２との間の通信状態が良好か否かの判断とを繰り返す。そして、ユーザは、エリアコントローラ５についての照明装置２との間の通信状態が良好であると判断すると、設定対象選択操作をタッチパネルディスプレイ３５に行う。これにより、照明システム１では、上述のステップｓ２１以降が実行され、設定対象の照明装置２に関する設定が行われる。
【０１８６】
このように、ユーザは、設定器３を利用して、エリアコントローラ５の通信状態を確認することができることから、エリアコントローラ５を制御することなく、簡単にエリアコントローラ５の通信状態を確認することができる。
【０１８７】
なお、しきい値よりも小さい信号強度が一覧表４１１に示される場合には、表示部３３は、設定画面２００において、その旨を通知する表示を行っても良い。例えば、一覧表４１１において、しきい値よりも小さい信号強度が示される欄を赤色で示すなどによって、当該欄の表示態様を、しきい値以上の信号強度が示される欄の表示態様と異なるようにしても良い。
【０１８８】
＜第１２変形例（点灯状態の変更の解除タイミングの変形例その１）＞
上記の例では、設定対象の照明装置２は、自分宛てのＰＡＮ  ＩＤを受信したときに（ステップｓ７１）点灯状態の変更を解除したが（ステップｓ７２）、点灯状態を変更してから（ステップｓ６２）所定時間経過した後に、点灯状態の変更を解除しても良い。例えば、設定対象の照明装置２では、制御部２０が、照明器具２４の点灯状態の変更からの経過時間を計測し、当該経過時間がしきい値以上となると、照明器具２４の点灯状態の変更を解除する。この経過時間は、例えば、ユーザが、設定対象選択操作を行ってから、点灯状態が変更された照明装置２（設定対象の照明装置２）を特定するまでに最低限必要な時間、例えば数秒程度に設定される。
【０１８９】
このように、設定対象の照明装置２が、点灯状態を変更してから数秒程度経過した後に点灯状態の変更を解除する場合には、ステップｓ３１が実行される前に、つまりユーザが位置情報指定操作をタッチパネルディスプレイ３５に行う前に、設定対象の照明装置２の点灯状態が元に戻ることになる。よって、本変形例では、設定器３が、設定対象の照明装置２の物理アドレスと照明位置情報とを対応付ける前に、設定対象の照明装置２の点灯状態が元に戻る。このような場合であっても、ユーザは、設定対象の照明装置２を特定し易くなることから、照明装置２の物理アドレスと照明位置情報との対応付けミスが発生することを抑制することができる。
【０１９０】
＜第１３変形例（点灯状態の変更の解除タイミングの変形例その２）＞
本変形例に係る設定器３では、設定対象の照明装置２に対して点灯状態の変更の解除を指示した後に、ユーザからの位置情報指定操作を受け付けるようになっている。
【０１９１】
図３１は本変形例に係る設定画面２００を示す図である。図３１に示されるように、本変形例に係る設定画面２００に含まれる一覧表画面４１０には、設定対象の照明装置２に対して、点灯状態の変更の解除を指示するための変更解除ボタン８００が示されている。ユーザによって変更解除ボタン８００を選択する操作がタッチパネルディスプレイ３５に行われると、制御部３０は、設定対象の照明装置２に対して点灯状態の変更の解除を指示する変更解除信号を生成して、それを通信部３１に送信させる。変更解除ボタン８００を選択する操作としては、変更解除ボタン８００に対するタップ操作が採用される。
【０１９２】
次に本変形例に係る照明システム１の動作について説明する。上述のステップｓ１１〜ステップｓ６２が実行されて、設定対象の照明装置２の点灯状態が変更されると、ユーザは、点灯状態が変更された設定対象の照明装置２（点滅状態の照明装置２）を特定する。その後、ユーザは、変更解除ボタン８００を選択する操作をタッチパネルディスプレイ３５に行う。設定器３では、タッチパネルディスプレイ３５が当該操作を受け付けると、制御部３０は、設定対象の物理アドレスを含む変更解除信号を生成して、それを通信部３１に送信させる。
【０１９３】
設定対象の照明装置２では、制御部２０は、通信部２１が受信した変更解除信号に含まれる物理アドレスと自身の物理アドレストが一致すると、照明器具２４の点灯状態の変更を解除する。その後、上述のステップｓ３１が実行され、タッチパネルディスプレイ３５が位置情報指定操作を受け付けると、ステップｓ３２以降が同様に実行される。
【０１９４】
本変形例に係る設定器３では、設定対象の照明装置２に対して変更解除信号が送信されるまでは、タッチパネルディスプレイ３５は、ユーザの位置情報指定操作を受け付けないようになっている。したがって、本変形例では、上記の第１２変形例と同様に、設定器３が、設定対象の照明装置２の物理アドレスと照明位置情報とを対応付ける前に、設定対象の照明装置２の点灯状態が元に戻る。このような場合であっても、ユーザは、設定対象の照明装置２を特定し易くなることから、照明装置２の物理アドレスと照明位置情報との対応付けミスが発生することを抑制することができる。
【０１９５】
以上のように、照明システム１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【０１９６】
１  照明システム
２  照明装置
３  設定器
４  照明コントローラ
３０  制御部
３１  通信部
３２  記憶部
３２ａ  制御プログラム
３３  表示部
３４  操作部
【図１】
0006436722.tif 000002
【図２】
0006436722.tif 000003
【図３】
0006436722.tif 000004
【図４】
0006436722.tif 000005
【図５】
0006436722.tif 000006
【図６】
0006436722.tif 000007
【図７】
0006436722.tif 000008
【図８】
0006436722.tif 000009
【図９】
0006436722.tif 000010
【図１０】
0006436722.tif 000011
【図１１】
0006436722.tif 000012
【図１２】
0006436722.tif 000013
【図１３】
0006436722.tif 000014
【図１４】
0006436722.tif 000015
【図１５】
0006436722.tif 000016
【図１６】
0006436722.tif 000017
【図１７】
0006436722.tif 000018
【図１８】
0006436722.tif 000019
【図１９】
0006436722.tif 000020
【図２０】
0006436722.tif 000021
【図２１】
0006436722.tif 000022
【図２２】
0006436722.tif 000023
【図２３】
0006436722.tif 000024
【図２４】
0006436722.tif 000025
【図２５】
0006436722.tif 000026
【図２６】
0006436722.tif 000027
【図２７】
0006436722.tif 000028
【図２８】
0006436722.tif 000029
【図２９】
0006436722.tif 000030
【図３０】
0006436722.tif 000031
【図３１】
0006436722.tif 000032